(57)【特許請求の範囲】
【請求項１】
正面、背面、上面、底面及び左右両側面を有し、全体が箱形に構成され、各種の機器を収納する機器収納用ラックにおいて、
アルミダイカストにより一体に成形され、外側一方の面が任意のコーナー形状を呈し、内側他方の面の両端部及び一側部にそれぞれ箱形の高さ方向、幅方向及び奥行方向に延びる複数の凸部が突設され、箱形の各コーナーをなすコーナーブロックと、
アルミ押出材からなり、外側一方の面がフラットで内側他方の面に前記コーナーブロックの前記高さ方向又は幅方向の凸部が嵌合可能な凹部形状部を長さ方向に連続して形成されるとともに、片側一方の側縁部に沿って溝を形成されてなる枠構成フレーム基材から、箱形の正面側及び背面側の各枠の各辺の長さにカットされ、前記各コーナーブロック間に連結されて、箱形の正面側及び背面側の各枠を構成する枠構成フレームと、
アルミ押出材からなり、外側の面又は内側の面の一方に前記コーナーブロックの前記奥行方向の凸部が嵌合可能な凹部形状部を長さ方向に連続して形成されるとともに内側の面の両側に沿って溝を形成されてなる奥行フレーム基材から、箱形の正面側及び背面側の各枠間の奥行方向の各辺の長さにカットされ、前記各コーナーブロック間に連結されて、箱形の正面側及び背面側の各枠間を繋ぐ奥行フレームと、
アルミ板からなり、前記コーナーブロックと前記枠構成フレームと前記奥行フレームとにより構成される箱形の上下左右の各面に前記枠構成フレーム及び前記奥行フレームの各側縁の各溝に挿入して組み入れ可能に形成され、箱形の上下左右の各面をなすパネルと、
アルミダイカストにより一体に成形され、外側一方の面が任意のコーナー形状を呈し、内側他方の面の両端部にそれぞれ箱形の高さ方向及び幅方向に延びる複数の凸部が突設され、箱形の正面及び背面の各蓋の各コーナーをなす蓋コーナーブロックと、
アルミ押出材からなり、外側一方の面が任意のコーナー形状を呈し、内側他方の面に前記蓋コーナーブロックの前記高さ方向又は幅方向の凸部が嵌合可能な凹部形状部を長さ方向に連続して形成される外側フレーム、及び前記外側フレームの内側他方の面に当該面に対して直角方向に延び、先端に溝を有する内側フレームからなる蓋枠構成フレーム基材から、箱形の正面及び背面の各蓋の各枠の各辺の長さにカットされ、前記各蓋コーナーブロック間に連結されて、箱形の正面及び背面の各蓋の各枠を構成する蓋枠構成フレームと、
アルミ板からなり、前記蓋コーナーブロックと前記蓋枠構成フレームとにより構成される前記正面及び背面の各蓋の枠内の面に前記各蓋枠構成フレームの内側フレームの各溝に挿入して組み入れ可能に形成され、箱形の正面及び背面の各蓋の各面をなす蓋パネルと、
前記正面及び背面の各蓋の前記蓋枠構成フレームに装着され、前記蓋枠構成フレームと前記枠構成フレームとを固定する蓋ロック部材と、
を備え、
箱形の各コーナーをなす前記コーナーブロックと、箱形の正面側及び背面側の各枠を構成する前記枠構成フレームと、箱形の正面側及び背面側の各枠間を繋ぐ奥行フレームとを、前記コーナーブロックの高さ方向、幅方向及び奥行方向の各凸部と前記枠構成フレームの各凹部形状部及び前記奥行フレームの各凹部形状部との係合とこの係合部分のねじ固定によりそれぞれ組み立てるとともに、前記枠構成フレームと前記奥行フレームとにより構成される上下左右の各面に前記パネルを前記枠構成フレームと前記奥行フレームの各側縁の各溝に組み入れて、ラック本体を組み立て、
箱形の正面及び背面の各蓋の各コーナーをなす前記蓋コーナーブロックと、箱形の正面及び背面の各蓋の各枠を構成する前記蓋枠構成フレームとを、前記蓋コーナーブロックの高さ方向及び幅方向の各凸部と前記蓋枠構成フレームの各凹部形状部との係合とこの係合部分のねじ固定により組み立てるとともに、前記各蓋枠構成フレームにより構成される正面及び背面の各面に前記蓋パネルを組み入れて、正面及び背面の蓋を組み立て、
前記ラック本体の正面及び背面に、前記正面及び背面の各蓋を合わせ、前記各蓋の蓋枠構成フレームに前記ロック部材を装着し、前記蓋枠構成フレームと前記枠構成フレームとを固定して、前記ラック本体と前記蓋とを結合する、
ことを特徴とする機器収納用ラック。
【請求項２】
コーナーブロック及び蓋コーナーブロックはそれぞれ、外側一方の面が斜めの略フラット面をなす請求項１に記載の機器収納用ラック。
【請求項３】
奥行フレームは奥行方向に延びる垂直面と水平面とからなり、当該垂直面、水平面により直角をなす２面側が外側の面、反対の２面側が内側の面で、当該外側の面に、２面接合部と平行の各側部からそれぞれ他方の側部に向けてフランジが突出されて、前記フランジとともにコーナーブロックの奥行方向の凸部が嵌合可能な断面形状を形成され、当該内側の面に、２面接合部と平行の各側部に沿って溝が形成される請求項１又は２に記載の機器収納用ラック。
【請求項４】
奥行フレームの外側の面はまた、取手、脚及びキャスターを含む各種の付属品のための取付溝になっていて、付属部品として、前記取付溝の開口側の溝幅より小さい幅で、かつ開口側の溝幅より大きく底部側の溝幅と略同じか少し小さい長さを有し、前記取付溝の内側の開口両縁部に係脱可能な平板状に形成され、表側の平面から裏側の平面に向けて貫通するねじ穴を有する固定板と、前記各種の付属品に一体的に、前記取付溝の両側の前記フランジ間に跨って設置可能な各種の形状に形成され、前記固定板のねじ穴に対応して表側から裏側に向けて貫通するねじ穴を有する取付部材と、前記取付部材のねじ穴から前記固定板のねじ穴に貫通して螺合されるねじとを有し、前記固定板の幅方向を前記取付溝の幅方向に合わせ、前記固定板を前記取付溝の開口を通して、前記取付溝の底面側へ挿入した後、前記固定板を回転させ、前記固定板の長さ方向を前記取付溝の幅方向に向けて前記取付溝の内側の開口両縁部に係合可能に配置し、この状態で、前記取付部材を前記取付溝の外側で前記フランジ間に跨って設置し、前記取付部材及び前記固定板の前記各ねじ穴間に前記ねじを通して締め込むことにより、前記固定板と前記取付部材をそれぞれ、前記取付溝のフランジに内側及び外側から圧接させて、前記取付部材を前記取付溝上に固定する形式の各種の付属品の取付構造を具備する請求項３に記載の機器収納用ラック。
【請求項５】
各種の付属品は、上面視で、奥行フレームの水平面内に又は当該水平面からラック本体の底面若しくは上面側に収められるように形成され、前記ラック本体から側方に飛び出さないように取り付けられる請求項４に記載の機器収納用ラック。
【請求項６】
固定板は、取付溝の内側の開口両縁部に係止可能に略長方形の平板に形成され、かつ４つのコーナーのうち、一方の対角線上で対向する各コーナーが略円弧状に形成される請求項４又は５に記載の機器収納用ラック。
【請求項７】
正面及び背面の各蓋とラック本体の正面及び背面との間に、前記正面及び背面の各蓋を前記ラック本体の正面及び背面に位置決めし保持するための位置決めガイドを有する請求項１乃至６のいずれかに記載の機器収納用ラック。
【請求項８】
蓋ロック部材は、外側の円筒部と、前記外側の円筒部内に回転可能に嵌挿される内側の円筒部、及び前記内側の円筒部の基端部に当該円筒部の軸方向に対して直角方向に回動可能に取り付けられ、前記外側の円筒部内で前記内側の円筒部を回転操作するためのハンドルと、前記内側の円筒部内に回転可能にかつ進退可能に挿通され、前記外側及び内側の各円筒部の先端から突出する駆動軸、及び前記駆動軸の先端側に当該軸方向に対して直角方向に向けて突設され、ラック本体側の所定の被係合部に係止可能な係止部と、前記外側の円筒部及び前記内側の円筒部と前記駆動軸との間に形成され、前記内側の円筒部の一方向の回転運動により、前記駆動軸を前記内側の円筒部の回転方向に所定の角度だけ回転案内し、前記駆動軸が当該回転方向に所定の角度だけ回転した地点で前記駆動軸を前記内側の円筒部の軸上をその先端から基端部へ向かう後退方向に移動案内し、また、前記内側の円筒部の他方向の回転運動により、前記駆動軸を前記内側の円筒部の軸上をその基端部から先端へ向かう前進方向に移動案内し、前記駆動軸が前記内側の円筒部内を所定の距離だけ前進移動した地点で前記駆動軸を前記内側の円筒部の回転方向に所定の角度だけ回転案内するガイド機構とを備え、前記外側の円筒部が前記蓋枠構成フレームに挿着され、前記ハンドルの一方向の回転操作により、前記係止部を前記ラック本体側の所定の被係合部に対して係合し、前記枠構成フレームと前記蓋枠構成フレームとを相互に引き寄せる方向に圧接した状態にロックし、前記ハンドルの他方向の回転操作により、前記係止部の前記ラック本体側の所定の被係合部に対する係合を解除する請求項１乃至７のいずれかに記載の機器収納用ラック。
【請求項９】
アルミ押出材からなり、断面ハット形からなる補強フレーム基材から、奥行フレーム間に架け渡し可能な長さにカットされ、前記各奥行フレーム間にねじ固定され、枠構成フレームと並設する補強フレームを併せて備える請求項１乃至８のいずれかに記載の機器収納用ラック。
【請求項１０】
補強フレーム及び／又は枠構成フレームの内面に当該フレームの長さ方向に向けて複数のナットが埋設固定され、前記補強フレーム及び／又は前記枠構成フレーム上にアングルプレートがボルト及びナットにより着脱可能に取り付けられる請求項９に記載の機器収納用ラック。
【請求項１１】
アルミダイカストにより一体に成形され、外側一方の面が任意のコーナー形状を呈し、内側他方の面の両端部にそれぞれ箱形の高さ方向及び幅方向に延びる複数の凸部が突設され、箱形の正面及び／又は背面の各コーナーの延長をなす延長コーナーブロックと、アルミ押出材からなり、外側一方の面がフラットで内側他方の面に前記延長コーナーブロックの前記高さ方向又は幅方向の凸部が嵌合可能な凹部形状部を長さ方向に連続して形成されてなる延長枠構成フレーム基材から、箱形の正面側及び背面側の各枠の各辺と対応する長さにカットされ、前記各延長コーナーブロック間に連結されて、箱形の正面側及び／又は背面側の各枠と正面の蓋の枠及び／又は背面の蓋の枠との間に介在され、ラック本体の長さを調整する延長枠を併せて備える請求項１乃至１０のいずれかに記載の機器収納用ラック。
【請求項１２】
ラック本体の正面及び／又は背面と延長枠との間、及び前記延長枠と正面及び／又は背面の蓋との間に、前記ラック本体の正面及び／又は背面、前記延長枠、前記正面及び／又は背面の蓋を位置決めし保持するための位置決めガイドを有する請求項１１に記載の機器収納用ラック。
【請求項１３】
複数のラック本体間を接続するためのラック接続部品を備え、前記ラック接続部品は、一端に一方のラック本体の奥行フレームのフランジに係合可能な係止爪を有するプレートからなり、当該プレートの平面上にスクリューシャフトを立設される第１のフックと、一端に他方のラック本体の奥行フレームのフランジに係合可能な係止爪を有するプレートからなり、当該プレートの平面上に当該プレートの両端方向に延び、前記第１のフックのスクリューシャフトを挿通可能な長穴を有し、当該長穴に前記スクリューシャフトを通して前記第１のフック上に重合される第２のフックと、前記第２のフックの上から前記スクリューシャフトに螺合され、前記第２のフックを前記第１のフックに向けて押圧可能なつまみ付きのナットとを具備する請求項３又は４に記載の機器収納用ラック。
【発明の詳細な説明】
【技術分野】
【０００１】
本発明は、コンピュータ、通信機器、電気機器など各種の機器を収納するのに使用する機器収納用ラックに関し、特に、屋内、屋外を問わず、各種の機器の収納、搬送及び設置に有用な機器収納用ラックに関する。
【背景技術】
【０００２】
一般に、この種の機器収納用ラックとして、キャビネット型のラックと、ボックス型のラックが知られている。
キャビネット型のラックは、底板と天板が支柱で連結されて、左右両側面と背面にパネルが着脱可能に装着されるとともに、底板と天板との間に複数の台板が配設され、正面は扉が開閉自在に取り付けられて、全体が縦長のキャビネットとして構成される。このようにしてラックにコンピュータや通信機器、電気機器などが多段的に収納されるようになっている（例えば特許文献１参照）。
ボックス型のラックは、天面パネル、底面パネル、左右両側面パネル、背面パネルがそれぞれ端部を突合せられて溶接又はねじ止めにより固定され、正面に扉が開閉可能に取り付けられて、全体がボックス型に構成される。このようにしてラックにコンピュータや通信機器、電気機器などが収納されるようになっている（例えば特許文献２参照）。
【先行技術文献】
【特許文献】
【０００３】
【特許文献１】特開２００５−  １９８５７公報
【特許文献２】特開２００３−２１８５６１公報
【発明の概要】
【発明が解決しようとする課題】
【０００４】
しかしながら、上記従来の機器収納用ラックでは、次のような問題がある。
（１）キャビネット型のラックの場合、一つのラックに複数の機器が多段的に収納されるため、これらの機器を屋内で移動したり屋外へ移動したりしようとすると、各機器をラックに収納した状態でラックごと搬送、設置することが難しい。また、同じ設置場所でも、これらの機器を一つのシステムとしてより使いやすいレイアウトに組み立てし直したり機器の変更又は追加により全体又は一部の機器のレイアウトを変更したりしようとすると、ラックから各機器を出し入れする必要があり、また、各機器に応じて台板の位置を変える必要があり、作業が煩雑となり容易ではない。
（２）ボックス型のラックの場合、キャビネット型のラックに比べて、全体の大きさが小さいため、これらの機器を屋内で移動したり屋外へ移動したりしようとすると、各種の機器をラックに収納した状態でラックごと搬送、設置することができるが、このラックの場合、複数のパネルを単に端部同士を付き合わせて溶接又はねじ固定しているだけなので、強度的な問題があり、例えば、ラックの搬送の際に、複数のラックを車両などに積み重ねて搭載すると、下のラックは上のラックの重みで変形し、ラック内の機器が損傷する恐れかある。また、これら各種の機器を収納したラックを所定の設置場所に所要のレイアウトで積み上げようとすると、同様に、下のラックは上のラックの重みで変形し、ラック内の機器が損傷する恐れかあるため、各種の機器をラックごと自由なレイアウトで段積み配置することができない。
【０００５】
本発明は、このような従来の問題を解決するもので、屋内、屋外を問わず、コンピュータ、通信機器、電気機器など各種の機器の収納、搬送及び設置に有用な機器収納用ラックを提供すること、を目的とする。
【課題を解決するための手段】
【０００６】
上記目的を達成するために、本発明は、正面、背面、上面、底面及び左右両側面を有し、全体が箱形に構成され、各種の機器を収納する機器収納用ラックにおいて、アルミダイカストにより一体に成形され、外側一方の面が任意のコーナー形状を呈し、内側他方の面の両端部及び一側部にそれぞれ箱形の高さ方向、幅方向及び奥行方向に延びる複数の凸部が突設され、箱形の各コーナーをなすコーナーブロックと、アルミ押出材からなり、外側一方の面がフラットで内側他方の面に前記コーナーブロックの前記高さ方向又は幅方向の凸部が嵌合可能な凹部形状部を長さ方向に連続して形成されるとともに、片側一方の側縁部に沿って溝を形成されてなる枠構成フレーム基材から、箱形の正面側及び背面側の各枠の各辺の長さにカットされ、前記各コーナーブロック間に連結されて、箱形の正面側及び背面側の各枠を構成する枠構成フレームと、アルミ押出材からなり、外側の面又は内側の面の一方に前記コーナーブロックの前記奥行方向の凸部が嵌合可能な凹部形状部を長さ方向に連続して形成されるとともに内側の面の両側に沿って溝を形成されてなる奥行フレーム基材から、箱形の正面側及び背面側の各枠間の奥行方向の各辺の長さにカットされ、前記各コーナーブロック間に連結されて、箱形の正面側及び背面側の各枠間を繋ぐ奥行フレームと、アルミ板からなり、前記コーナーブロックと前記枠構成フレームと前記奥行フレームとにより構成される箱形の上下左右の各面に前記枠構成フレーム及び前記奥行フレームの各側縁の各溝に挿入して組み入れ可能に形成され、箱形の上下左右の各面をなすパネルと、アルミダイカストにより一体に成形され、外側一方の面が任意のコーナー形状を呈し、内側他方の面の両端部にそれぞれ箱形の高さ方向及び幅方向に延びる複数の凸部が突設され、箱形の正面及び背面の各蓋の各コーナーをなす蓋コーナーブロックと、アルミ押出材からなり、外側一方の面が任意のコーナー形状を呈し、内側他方の面に前記蓋コーナーブロックの前記高さ方向又は幅方向の凸部が嵌合可能な凹部形状部を長さ方向に連続して形成される外側フレーム、及び前記外側フレームの内側他方の面に当該面に対して直角方向に延び、先端に溝を有する内側フレームからなる蓋枠構成フレーム基材から、箱形の正面及び背面の各蓋の各枠の各辺の長さにカットされ、前記各蓋コーナーブロック間に連結されて、箱形の正面及び背面の各蓋の各枠を構成する蓋枠構成フレームと、アルミ板からなり、前記蓋コーナーブロックと前記蓋枠構成フレームとにより構成される前記正面及び背面の各蓋の枠内の面に前記各蓋枠構成フレームの内側フレームの各溝に挿入して組み入れ可能に形成され、箱形の正面及び背面の各蓋の各面をなす蓋パネルと、前記正面及び背面の各蓋の前記蓋枠構成フレームに装着され、前記蓋枠構成フレームと前記枠構成フレームとを固定する蓋ロック部材と、を備え、箱形の各コーナーをなす前記コーナーブロックと、箱形の正面側及び背面側の各枠を構成する前記枠構成フレームと、箱形の正面側及び背面側の各枠間を繋ぐ奥行フレームとを、前記コーナーブロックの高さ方向、幅方向及び奥行方向の各凸部と前記枠構成フレームの各凹部形状部及び前記奥行フレームの各凹部形状部との係合とこの係合部分のねじ固定によりそれぞれ組み立てるとともに、前記枠構成フレームと前記奥行フレームとにより構成される上下左右の各面に前記パネルを前記枠構成フレームと前記奥行フレームの各側縁の各溝に組み入れて、ラック本体を組み立て、箱形の正面及び背面の各蓋の各コーナーをなす前記蓋コーナーブロックと、箱形の正面及び背面の各蓋の各枠を構成する前記蓋枠構成フレームとを、前記蓋コーナーブロックの高さ方向及び幅方向の各凸部と前記蓋枠構成フレームの各凹部形状部との係合とこの係合部分のねじ固定により組み立てるとともに、前記各蓋枠構成フレームにより構成される正面及び背面の各面に前記蓋パネルを組み入れて、正面及び背面の蓋を組み立て、前記ラック本体の正面及び背面に、前記正面及び背面の各蓋を合わせ、前記各蓋の蓋枠構成フレームに前記ロック部材を装着し、前記蓋枠構成フレームと前記枠構成フレームとを固定して、前記ラック本体と前記蓋とを結合する、ことを要旨とする。
このラックはまた、各部に次のような構成を備えることが好ましい。
（１）コーナーブロック及び蓋コーナーブロックはそれぞれ、外側一方の面が斜めの略フラット面をなす。
（２）奥行フレームは奥行方向に延びる垂直面と水平面とからなり、当該垂直面、水平面により直角をなす２面側が外側の面、反対の２面側が内側の面で、当該外側の面に、２面接合部と平行の各側部からそれぞれ他方の側部に向けてフランジが突出されて、前記フランジとともにコーナーブロックの奥行方向の凸部が嵌合可能な断面形状を形成され、当該内側の面に、２面接合部と平行の各側部に沿って溝が形成される。
（３）奥行フレームの外側の面はまた、取手、脚及びキャスターを含む各種の付属品のための取付溝になっていて、付属部品として、前記取付溝の開口側の溝幅より小さい幅で、かつ開口側の溝幅より大きく底部側の溝幅と略同じか少し小さい長さを有し、前記取付溝の内側の開口両縁部に係脱可能な平板状に形成され、表側の平面から裏側の平面に向けて貫通するねじ穴を有する固定板と、前記各種の付属品に一体的に、前記取付溝の両側の前記フランジ間に跨って設置可能な各種の形状に形成され、前記固定板のねじ穴に対応して表側から裏側に向けて貫通するねじ穴を有する取付部材と、前記取付部材のねじ穴から前記固定板のねじ穴に貫通して螺合されるねじとを有し、前記固定板の幅方向を前記取付溝の幅方向に合わせ、前記固定板を前記取付溝の開口を通して、前記取付溝の底面側へ挿入した後、前記固定板を回転させ、前記固定板の長さ方向を前記取付溝の幅方向に向けて前記取付溝の内側の開口両縁部に係合可能に配置し、この状態で、前記取付部材を前記取付溝の外側で前記フランジ間に跨って設置し、前記取付部材及び前記固定板の前記各ねじ穴間に前記ねじを通して締め込むことにより、前記固定板と前記取付部材をそれぞれ、前記取付溝のフランジに内側及び外側から圧接させて、前記取付部材を前記取付溝上に固定する形式の各種の付属品の取付構造を具備する。
（４）各種の付属品は、上面視で、奥行フレームの水平面内に又は当該水平面からラック本体の底面若しくは上面側に収められるように形成され、前記ラック本体から側方に飛び出さないように取り付けられる。
（５）固定板は、取付溝の内側の開口両縁部に係止可能に略長方形の平板に形成され、かつ４つのコーナーのうち、一方の対角線上で対向する各コーナーが略円弧状に形成される。
（６）正面及び背面の各蓋とラック本体の正面及び背面との間に、前記正面及び背面の各蓋を前記ラック本体の正面及び背面に位置決めし保持するための位置決めガイドを有する。
（７）蓋ロック部材は、外側の円筒部と、前記外側の円筒部内に回転可能に嵌挿される内側の円筒部、及び前記内側の円筒部の基端部に当該円筒部の軸方向に対して直角方向に回動可能に取り付けられ、前記外側の円筒部内で前記内側の円筒部を回転操作するためのハンドルと、前記内側の円筒部内に回転可能にかつ進退可能に挿通され、前記外側及び内側の各円筒部の先端から突出する駆動軸、及び前記駆動軸の先端側に当該軸方向に対して直角方向に向けて突設され、ラック本体側の所定の被係合部に係止可能な係止部と、前記外側の円筒部及び前記内側の円筒部と前記駆動軸との間に形成され、前記内側の円筒部の一方向の回転運動により、前記駆動軸を前記内側の円筒部の回転方向に所定の角度だけ回転案内し、前記駆動軸が当該回転方向に所定の角度だけ回転した地点で前記駆動軸を前記内側の円筒部の軸上をその先端から基端部へ向かう後退方向に移動案内し、また、前記内側の円筒部の他方向の回転運動により、前記駆動軸を前記内側の円筒部の軸上をその基端部から先端へ向かう前進方向に移動案内し、前記駆動軸が前記内側の円筒部内を所定の距離だけ前進移動した地点で前記駆動軸を前記内側の円筒部の回転方向に所定の角度だけ回転案内するガイド機構とを備え、前記外側の円筒部が前記蓋枠構成フレームに挿着され、前記ハンドルの一方向の回転操作により、前記係止部を前記ラック本体側の所定の被係合部に対して係合し、前記枠構成フレームと前記蓋枠構成フレームとを相互に引き寄せる方向に圧接した状態にロックし、前記ハンドルの他方向の回転操作により、前記係止部の前記ラック本体側の所定の被係合部に対する係合を解除する。
（８）アルミ押出材からなり、断面ハット形からなる補強フレーム基材から、奥行フレーム間に架け渡し可能な長さにカットされ、前記各奥行フレーム間にねじ固定され、枠構成フレームと並設する補強フレームを併せて備える。
（９）補強フレーム及び／又は枠構成フレームの内面に当該フレームの長さ方向に向けて複数のナットが埋設固定され、前記補強フレーム及び／又は前記枠構成フレーム上にアングルプレートがボルト及びナットにより着脱可能に取り付けられる。
（１０）アルミダイカストにより一体に成形され、外側一方の面が任意のコーナー形状を呈し、内側他方の面の両端部にそれぞれ箱形の高さ方向及び幅方向に延びる複数の凸部が突設され、箱形の正面及び／又は背面の各コーナーの延長をなす延長コーナーブロックと、アルミ押出材からなり、外側一方の面がフラットで内側他方の面に前記延長コーナーブロックの前記高さ方向又は幅方向の凸部が嵌合可能な凹部形状部を長さ方向に連続して形成されてなる延長枠構成フレーム基材から、箱形の正面側及び背面側の各枠の各辺と対応する長さにカットされ、前記各延長コーナーブロック間に連結されて、箱形の正面側及び／又は背面側の各枠と正面の蓋の枠及び／又は背面の蓋の枠との間に介在され、ラック本体の長さを調整する延長枠を併せて備える。
（１１）ラック本体の正面及び／又は背面と延長枠との間、及び前記延長枠と正面及び／又は背面の蓋との間に、前記ラック本体の正面及び／又は背面、前記延長枠、前記正面及び／又は背面の蓋を位置決めし保持するための位置決めガイドを有する。
（１２）複数のラック本体間を接続するためのラック接続部品を備え、前記ラック接続部品は、一端に一方のラック本体の奥行フレームのフランジに係合可能な係止爪を有するプレートからなり、当該プレートの平面上にスクリューシャフトを立設される第１のフックと、一端に他方のラック本体の奥行フレームのフランジに係合可能な係止爪を有するプレートからなり、当該プレートの平面上に当該プレートの両端方向に延び、前記第１のフックのスクリューシャフトを挿通可能な長穴を有し、当該長穴に前記スクリューシャフトを通して前記第１のフック上に重合される第２のフックと、前記第２のフックの上から前記スクリューシャフトに螺合され、前記第２のフックを前記第１のフックに向けて押圧可能なつまみ付きのナットとを具備する。
【発明の効果】
【０００７】
本発明の機器収納用ラックによれば、上記の構成により、ボックス型のラックとして構成し、キャビネット型のラックに比べて、全体の大きさを小さくすることができ、コンピュータ、通信機器、電気機器など各種の機器を屋内で移動したり屋外へ移動したりしようとする場合に、各種の機器をこのラックに収納した状態でラックごと搬送、設置することができる。
特に、このラックの場合、全体がアルミ材のブロック、フレーム及びパネルにより形成され、しかも、枠構成フレームが、アルミ押出材からなり、外側一方の面がフラットで内側他方の面にコーナーブロックの幅方向又は高さ方向の凸部が嵌合可能な凹部形状部を長さ方向に連続して形成されるとともに、片側一方の側縁部に沿って溝を形成されてなる枠構成フレーム基材から、箱形の正面側及び背面側の各枠の各辺の長さにカットされて、各コーナーブロック間に連結され、奥行きフレームが、アルミ押出材からなり、外側の面又は内側の面の一方にコーナーブロックの奥行方向の凸部が嵌合可能な凹部形状部を長さ方向に連続して形成されるとともに内側の面の両側に沿って溝を形成されてなる枠構成フレーム基材から、箱形の正面側及び背面側の各枠間の奥行方向の各辺の長さにカットされて、各コーナーブロック間に連結され、蓋枠構成フレームが、アルミ押出材からなり、外側一方の面がフラットで内側他方の面に蓋コーナーブロックの幅方向又は高さ方向の凸部が嵌合可能な凹部形状部を長さ方向に連続して形成される外側フレーム、及び外側フレームの内側他方の面に当該面に対して直角方向に延び、先端に溝を有する内側フレームからなる蓋枠構成フレーム基材から、箱形の正面及び背面の蓋の各枠の各辺の長さにカットされて、各蓋コーナーブロック間に連結され、さらに補強フレームが、アルミ押出材からなり、断面ハット形からなる補強フレーム基材から、奥行フレーム間に架け渡し可能な長さにカットされて、各奥行フレーム間に連結され、またさらに延長枠の延長枠構成フレームが、アルミ押出材からなり、外側一方の面がフラットで内側他方の面に延長コーナーブロックの幅方向又は高さ方向の凸部が嵌合可能な凹部形状部を長さ方向に連続して形成されてなる延長枠構成フレーム基材から、箱形の正面及び背面の各枠の各辺と対応する長さにカットされて、各延長コーナーブロック間に連結され、各フレームの内面側の凹部形状部を含む断面形状により、各フレームの剛性が高められるので、ラック全体の強度を顕著に向上させることができ、例えば、ラックの搬送の際に、複数のラックを車両などに積み重ねて搭載しても、下方のラックが上のラックの重みで変形してラック内の機器を損傷させる恐れかなく、また、これら各種の機器を収納したラックを所定の設置場所に所要のレイアウトで積み上げても、同様に、下のラックが上のラックの重みで変形してラック内の機器を損傷させる恐れもなく、各種の機器をラックごと自由なレイアウトで安定的に確実に段積み配置することができる。
このようにこのラックでは各種の機器を収納して自由なレイアウトで多段的に積み重ねることができるので、キャビネット型のラックとして利用することができるとともに、これらの機器を屋内で移動したり屋外へ移動したりするような場合でも、各機器をラックに収納した状態でラックごと容易に搬送、設置することができる。また、同一の設置場所においても、これらの機器を一つのシステムとしてより使いやすいレイアウトに組み立てし直したり機器の変更又は追加により全体又は一部の機器のレイアウトを変更したりしようとする場合に、各機器をラック毎出し入れして、所望のレイアウトを容易に作ることができる。
したがって、このラックによれば、屋内、屋外を問わず、コンピュータ、通信機器、電気機器など各種の機器の収納、搬送及び設置を簡単かつ確実に行うことができる。
【図面の簡単な説明】
【０００８】
【図１】本発明の一実施の形態における機器収納用ラックを示す斜視図
【図２】同ラックのラック本体及び正面、背面の各蓋を構成するコーナーブロック、フレーム、並びにアングルプレート、蓋ロック部材、取手、脚を示す一部分解斜視図
【図３】同ラックに使用されるコーナーブロックの構成を示す図
【図４】同ラックに使用される枠構成フレーム（上下の各フレーム）を示す図
【図５】同ラックに使用される枠構成フレーム（左右の各フレーム）を示す図
【図６】同ラックに使用される奥行フレームを示す図
【図７】同ラックに使用される補強フレームの台座を示す図
【図８】同ラックに使用される蓋コーナーブロック及び蓋枠構成フレームを示す図
【図９】同ラックに使用される蓋枠構成フレーム（上下の各フレーム）及び蓋ロック部材を示す図
【図１０】同ラックに使用される蓋枠構成フレーム（左右の各フレーム）及び蓋ロック部材を示す図
【図１１】同ラックに使用される蓋ロック部材を示す図
【図１２】同ラックに使用される蓋ロック部材の特に外側の円筒部を示す図
【図１３】同ラックに使用される蓋ロック部材の特に内側の円筒部を示す図
【図１４】同ラックに使用される延長枠を示す図
【図１５】同ラックに使用される延長コーナーブロックを示す図
【図１６】同ラックに使用される延長枠構成フレーム（上下の各フレーム）を示す図
【図１７】同ラックに使用される延長枠構成フレーム（左右の各フレーム）を示す図
【図１８】同ラックに使用される各種の付属品の取付構造を示す図
【図１９】同ラックに使用される取手及びその取付構造を示す図
【図２０】同ラックに使用される脚及びその取付構造を示す図
【図２１】同ラックに使用されるラック接続部品及びその取付構造を示す図
【図２２】複数の同ラックが上下方向に積み重ねられた状態を示す図
【図２３】同ラックのサイズを小さくした場合の他の例を示す図
【発明を実施するための形態】
【０００９】
次に、この発明を実施するための形態について図を用いて説明する。図１に機器収納用ラックの構成を示している。
図１に示すように、機器収納用ラックＲ１は、正面、背面、平面、底面及び左右両側面を有し、全体が箱形に構成される形式のもので、箱形のラック本体Ａと、正面及び背面の各蓋Ｂ１、Ｂ２とからなり、ラック本体Ａの構成部品として、箱形の各コーナーＣをなすアルミニウム材料からなるコーナーブロック１と、箱形の正面側及び背面側の各枠Ｆ１、Ｆ２を構成するアルミニウム材料からなる枠構成フレーム２と、箱形の正面側及び背面側の各枠Ｆ１、Ｆ２間を繋ぐ奥行部Ｓをなすアルミニウム材料からなる奥行フレーム３と、箱形の上下左右の各面Ｐをなすアルミニウム材料からなるパネル４と、各枠Ｆ１、Ｆ２間に並設される補強部材Ｈをなすアルミニウム材料からなる補強フレーム５（図２参照）と、補強フレーム５及び／又は枠構成フレーム２の内面上に選択的に固定されるアルミニウム材料からなるアングルプレート５５（図２参照）とを備え、正面及び背面の蓋Ｂ１、Ｂ２の構成部品として、箱形の正面及び背面の各蓋Ｂ１、Ｂ２の各コーナーｃをなすアルミニウム材料からなる蓋コーナーブロック７１と、箱形の正面及び背面の各蓋Ｂ１、Ｂ２の各枠ｆを構成するアルミニウム材料からなる蓋枠構成フレーム７２と、箱形の正面及び背面の各蓋Ｂ１、Ｂ２の各面ｐをなすアルミニウム材料からなる蓋パネル７３と、箱形の正面及び背面の各蓋Ｂ１、Ｂ２の蓋枠構成フレーム７２に装着され、枠構成フレーム２に係脱可能なステンレスなどの金属材料からなる蓋ロック部材８とを備え、これらの各部材により組み立てられる。
また、この機器収納用ラックＲ１では、箱形のラック本体Ａの正面側の枠Ｆ１及び／又は背面側の枠Ｆ２と正面の蓋Ｂ１の枠ｆ及び／又は背面の蓋Ｂ２の枠ｆとの間に介在され、ラック本体Ａの長さを調整する延長枠Ｌ（図１４参照）を併せて備え、この延長枠Ｌが、必要に応じて、選択的に、ラック本体Ａと各蓋Ｂ１、Ｂ２との間に組み入れられる。
【００１０】
図２に示すように、コーナーブロック１は、アルミダイカストにより一体に成形され、外側一方の面１１が任意のコーナー形状を呈し、内側他方の面１２の両端部及び一側部にそれぞれ箱形の幅方向、高さ方向及び奥行方向に延びる複数の凸部が突設されてなる。このコーナーブロック１の場合、図３に示すように、全体が略三角柱状のブロックに形成されて、外側一方の面１１が斜めの略フラット面（箱形のコーナーが面取りされた状態の斜めのフラット面）をなし、内側他方の面１２は水平の上面と垂直の前面、側面、後面とからなり、上面に箱形の高さ方向に延びる複数の凸部１２１が形成され、側面に箱形の幅方向に延びる複数の凸部１２２が形成され、後面に箱形の奥行方向に延びる凸部１２３が形成される。この場合、上面、側面の各凸部１２１、１２２は形状の異なる略角筒形の凸形状をなし、上面と側面とで各凸部１２１、１２２が対称的に形成され、後面の凸部１２３は後述する奥行フレーム３の断面形状の内部空間に嵌合可能に当該内部空間に対応する略台形の断面形状に形成される。また、このコーナーブロック１の場合、前面の所定の位置に雌ねじ（ナット）１２４が設けられる。これはラック本体Ａと延長枠Ｌとを結合する際に用いるねじ穴である。また、この場合、外側一方の面１１が内側他方の面１２の前部からさらに前方に平板状に延ばされ、その内面に垂直の上面、斜めの中間面及び水平の下面からなるガイド面１２５が形成される。これは、ラック本体Ａの正面及び背面と正面及び背面の各蓋Ｂ１、Ｂ２との間に設けられ、正面及び背面の各蓋Ｂ１、Ｂ２をラック本体Ａの正面及び背面に位置決めし保持するための位置決めガイドＧ１の一方をなすガイド係合部になっている。このガイド面１２５の上部及び下部にはそれぞれ、箱形の高さ方向、幅方向に延びる凸部１２６が併せて設けられ、この場合、各凸部１２６が平板状に形成される。このようにして、１つのラックＲ１につき８個のコーナーブロック１により、箱形の各コーナーＣが構成される。
【００１１】
図２に示すように、枠構成フレーム２は、アルミ押出材からなり、外側一方の面２１がフラットで内側他方の面２２にコーナーブロック１の高さ方向又は幅方向の凸部１２１、１２２が嵌合可能な凹部形状部を長さ方向に連続して形成されるとともに、片側一方の側縁部に沿って溝を形成されてなる枠構成フレーム基材から、箱形の正面側及び背面側の各枠Ｆ１、Ｆ２の各辺の長さにカットされて、各コーナーブロック１間に連結される。この枠構成フレーム基材の場合（図４、図５参照）、外側一方の面（２１）はフラットに形成され、内側他方の面（２２）は、コーナーブロック１の高さ方向又は幅方向の複数の凸部１２１、１２２、１２６が嵌合可能な複数の凹部形状部（２２１、２２２、２２６）が一体に組み合わされてフレームの長さ方向に連続して形成され、また、組み立て時に内側となる一方の側縁部にパネル４が挿入可能に溝（２２４）がフレームの長さ方向に連続して形成され、さらに外側となる他方の側縁部から少し内側方向に段差を付けて外側一方の面２１と平行に突出する突状部（２２５）がフレームの長さ方向に連続して形成される。かかる枠構成フレーム基材から、図２に示すように、箱形の正面側及び背面側の各枠Ｆ１、Ｆ２の各辺の適宜の長さにカットされて、図４に示す上下の各フレーム２０１、図５に示す左右の各フレーム２０２が形成される。なお、これらの枠構成フレーム２（２０１、２０２）には凹部形状部２２１、２２２、２２６の周面の適宜の位置にねじ穴が設けられる。このようにして、１つのラックＲ１につき２組の上下の各フレーム２０１、２組の左右の各フレーム２０２により、箱形の正面側及び背面側の各枠Ｆ１、Ｆ２が構成される。
【００１２】
図２に示すように、奥行フレーム３は、アルミ押出材からなり、外側の面３１又は内側の面３２の一方にコーナーブロック１の奥行方向の凸部１２３が嵌合可能な凹部形状部を長さ方向に連続して形成されるとともに内側の面３２の両側に沿って溝を形成されてなる奥行フレーム基材から、箱形の正面側及び背面側の各枠Ｆ１、Ｆ２間の奥行方向の各辺の長さにカットされ、各コーナーブロック１間に連結される。この奥行フレーム基材の場合（図６参照）、奥行方向に延びる垂直面と水平面とからなり、直角をなす２面側が外側の面（３１）、反対の２面側が内側の面（３２）で、外側の面（３１）は垂直面、水平面の２面接合部と平行の各側部を結ぶ面が斜めの面になっていて、各側部からそれぞれ他方の側部に向けてフランジ（３１１）が突出されて、この２面内にコーナーブロック１の奥行方向の凸部１２３が嵌合可能な略台形の内部空間をなす断面形状が形成され、また、内側の面（３２）は垂直面と水平面とからなり、これら２面接合部と平行の各側部に沿ってパネル４が挿入可能な溝（３２１）が形成される。かかる奥行フレーム基材から、箱形の正面側及び背面側の各枠Ｆ１、Ｆ２間の奥行方向の各辺の長さにカットされて、図６に示す上下の各奥行フレーム３が形成される。このようにして、１つのラックＲ１につき４本の奥行フレーム３により、箱形の正面側及び背面側の各枠Ｆ１、Ｆ２間を繋ぐ奥行部Ｓが構成される。
【００１３】
図２に示すように、補強フレーム５は、アルミ押出材からなり、断面ハット形からなる補強フレーム基材から、奥行フレーム３間に架け渡し可能な長さにカットされて、各奥行フレーム３間に連結され、枠構成フレーム２間に並設される。この補強フレーム５を奥行フレーム３に固定する場合、図７に示すように、台座５１とねじ５４などが用いられる。台座５１は、奥行フレーム３上に設置されるねじ穴５２０を有する矩形状の取付ベース５２と、この取付ベース５２上に補強フレーム５の内側形状に嵌合可能な凸形に形成され、両側面にねじ穴を有する凸形形状部５３とからなる。補強フレーム５の連結端部にこの台座５１の凸形形状部５３が嵌め込まれ、補強フレーム５と凸形形状部５３との間にねじ５４が締め込まれて固定され、この補強フレーム５は台座５１の取付ベース５２が奥行フレーム３の水平面又は垂直面の所定の位置に設置され、取付ベース５２と奥行フレーム３の設置面との間にねじが締め込まれて固定される。また、この補強フレーム５には、必要に応じて、ナットが埋設され、アングルプレート５５を取り付け可能に構成される。この場合、図２に示すように、補強フレーム５の中央の凸状の面の所定の位置に１箇所又は凸状の面の所定の範囲に長さ方向に向けて複数個所に取付孔が設けられ、この取付孔にナット５０が埋込固定される。このようにしてアングルプレート５５がボルト及びナットで着脱可能に取り付けられるようになっている。なお、枠構成プレート２（左右の各フレーム２０２）にもこのようなナットが同様に埋込固定されてもよく、この枠構成プレート２に、補強フレーム５に代えて、又は補強フレーム５とともにアングルプレート５５が取り付けられるようにしてもよい。
【００１４】
図１に示すように、パネル４は、アルミ板からなり、コーナーブロック１と枠構成フレーム２と奥行フレーム３とにより構成される箱形の上下左右の各面Ｐに枠構成フレーム２と奥行フレーム３の各側縁の各溝２２４、３２１に挿入して組み入れ可能に平面状に形成される。このパネル４の場合、箱形の上下、左右の各面Ｐ毎に適宜大きさの矩形状のフラットパネルとして形成される。このようにして、１つのラックＲ１につき上下の各面をなす２枚のパネル４と左右の各面をなす２枚のパネル４とにより、箱形の上下左右の各面Ｐが構成される。
【００１５】
図２に示すように、アングルプレート５５は、アルミ板からなり、所要の大きさのアルミ板が断面Ｌ字形に折り曲げられて形成される。この場合、アングルプレート５５は所要の長さと面積を有する細長いアルミ板が幅方向に直角に折り曲げられて形成され、その垂直面の適宜位置にねじ挿通穴（図示省略）が設けられる。このアングルプレート５５は対にして必要な数だけ用意され、補強フレーム５及び／又は枠構成フレーム２に配置されて、垂直面のねじ挿通穴にボルト（図示省略）を通して、補強フレーム５及び／又は枠構成フレーム２のナット５０に締結することにより固定される。
【００１６】
図２に示すように、蓋コーナーブロック７１は、アルミダイカストにより一体に成形され、外側一方の面７１１が任意のコーナー形状を呈し、内側他方の面７１２の両端部にそれぞれ箱形の高さ方向及び幅方向に延びる複数の凸部が突設されてなる。この蓋コーナーブロック７１の場合、図８に示すように、外側一方の面７１１が斜めの略フラット面をなし、内側他方の面７１２の上下端部にそれぞれ箱形の高さ方向及び幅方向に延びる複数の凸部が形成される。この場合、内側他方の面７１２の上端部、下端部にそれぞれ、対称的に、横方向に向けて一連の凹凸部を有する突状部７１３が形成されて複数の凸部７１４及び凹部７１５が交互に設けられる。なお、凹部７１５にねじ挿通穴が貫通形成される。また、この蓋コーナーブロック７１の場合、後部に外側一方７１１の面よりも内側に適宜の段差を付けて後方に突出し、コーナーブロック１の前部に設けられたガイド面１２５に係合可能な３面の外面を有するガイド凸形形状部７１６が形成される。これは、ラック本体Ａの正面及び背面と正面及び背面の各蓋Ｂ１、Ｂ２との間に設けられ、正面及び背面の各蓋Ｂ１、Ｂ２をラック本体Ａの正面及び背面に位置決めし保持するための位置決めガイドＧ１の他方をなすガイド凸起になっている。このようにして、１つのラックＲ１につき８個の蓋コーナーブロック７１により、箱形の正面及び背面の各蓋Ｂ１、Ｂ２の各コーナーｃが構成される。
【００１７】
図２に示すように、蓋枠構成フレーム７２は、枠構成フレーム２に連接可能な大きさ及び形状に形成される。この蓋枠構成フレーム７２は、アルミ押出材からなり、外側一方の面がフラットで内側他方の面に蓋コーナーブロック７１の高さ方向又は幅方向の凸部７１４が嵌合可能な凹部形状部を長さ方向に連続して形成される外側フレーム、及び外側フレームの内側他方の面に当該面の縁部と平行で当該面に対して直角方向に延び、先端に溝を有する内側フレームからなる蓋枠構成フレーム基材から、箱形の正面及び背面の各蓋Ｂ１、Ｂ２の各枠ｆの各辺の長さにカットされ、各蓋コーナーブロック７１間に連結される。この蓋枠構成フレーム基材の場合（図９、図１０参照）、外側フレーム（７２ａ）は、外側一方の面（７２１）がフラットな面で、内側他方の面（７２２）に、蓋コーナーブロック７１の高さ方向又は幅方向の複数の凸部７１４及び凹部７１５が嵌合可能に、フレームの幅方向に一連の凹凸部を有する突状部（７２３）がフレームの長さ方向に連続して形成されて、複数の凹部（７２４）及び凸部（７２５）が交互にフレームの長さ方向に連続して形成される。なお、凸部（７２５）にねじ穴が設けられる。また、この外側フレーム（７２ａ）には、組み立て時に内側となる一方の側縁部に枠構成フレーム２の突状部２２５が挿入可能に溝（７２６）がフレームの長さ方向に連続して形成される。また、内側フレーム（７２ｂ）は外側フレーム（７２ａ）の組み立て時に外側となる他方の側縁部よりも所定寸法だけ一方の側縁部に後退された位置、この場合、外側フレーム（７２ａ）の幅方向中央よりも前側に形成される。この内側フレーム（７２ｂ）の先端に溝（７２７）がフレームの長さ方向に連続して形成される。かかる枠構成フレーム基材から、箱形の正面及び背面の各蓋Ｂ１、Ｂ２の各枠ｆの各辺の適宜の長さにカットされて、図９に示す上下の各フレーム７２Ｌ、図１０に示す左右の各フレーム７２Ｓが形成される。このようにして、１つのラックＲ１につき２組の上下の各フレーム７２Ｌ、２組の左右の各フレーム７２Ｓにより、箱形の正面及び背面の各蓋Ｂ１、Ｂ２の各枠ｆが構成される。
【００１８】
図１に示すように、蓋パネル７３は、アルミ板からなり、蓋コーナーブロック７１と蓋枠構成フレーム７２とにより構成される箱形の正面及び背面の各蓋Ｂ１、Ｂ２の各枠ｆ内の面ｐに蓋枠構成フレーム７２の内側フレーム７２ｂの各溝７２７に挿入して組み入れ可能に平面状に形成される。このパネル７３の場合、箱形の正面及び背面の各蓋Ｂ１、Ｂ２の各枠ｆ内の面に合わせて適宜の大きさの矩形状のパネルとして形成され、そのパネル面に補強用のリブ７３１が付けられる。なお、このリブ７３１にはクッション性の高い保護カバーなどが併せて取り付けられることが好ましい。このようにして、１つのラックＲ１につき正面及び背面の各蓋Ｂ１、Ｂ２の各面をなす２枚の蓋パネル７３により、箱形の正面及び背面の各蓋Ｂ１、Ｂ２の各面ｐが構成される。
【００１９】
図１に示すように、正面及び背面の各蓋Ｂ１、Ｂ２に複数の蓋ロック部材８が設けられる。蓋ロック部材８はそれぞれ、図１１に示すように、外側の円筒部８１と、外側の円筒部８１内に回転可能に嵌挿される内側の円筒部８２、及び内側の円筒部８２の基端部に当該円筒部８２の軸方向に対して直角方向に回動可能に取り付けられ、外側の円筒部８１内で内側の円筒部８２を回転操作するためのハンドル８３と、内側の円筒部８２内に回転可能にかつ進退可能に挿通され、外側及び内側の各円筒部８１、８２の先端から突出する駆動軸８４、及び駆動軸８４の先端側に当該軸方向に対して直角方向に向けて突設され、所定の被係合部に係止可能な係止部８５と、外側の円筒部８１及び内側の円筒部８２と駆動軸８４との間に形成され、この蓋ロック部材８の初期状態において、内側の円筒部８２の一方向の回転運動により、駆動軸８４を内側の円筒部８２の回転方向に所定の角度だけ回転案内し、駆動軸８４が当該回転方向に所定の角度だけ回転した地点で駆動軸８４を内側の円筒部８２の軸上を後退方向に移動案内し、この状態から、内側の円筒部８２の他方向の回転運動により、駆動軸８４を内側の円筒部８２の軸上を前進方向に移動案内し、駆動軸８４が内側の円筒部８２内を所定の距離だけ前進移動した地点で駆動軸８４を内側の円筒部８２の回転方向に所定の角度だけ回転案内するガイド機構８６とを備える。
【００２０】
この蓋ロック部材８の場合、外側の円筒部８１はステンレス鋼鋳鋼品で、図１２に示すように、基端部の大径部８１１と、中間の中径部８１２と、先端部の小径部８１３とからなる。大径部８１１は中空の円筒状に形成され、一端に開口８１４を有し、他端に中径部８１２に連通する中径部８１２の内周面と同径の底部開口８１５を有する。この大径部８１１の外周部の高さ方向の寸法（言い換えれば、この大径部８１１の軸方向の長さ）は比較的小さく、この場合、ハンドル８３の軸８３２の断面積（この場合、軸８３２の軸方向に対して垂直の断面積をいう。以下、同様。）の高さ方向の寸法よりも少し大きくなっている。この外周部の所定の位置２箇所に各箇所間に略９０°の間隔でハンドル８３の軸８３２が嵌合可能にハンドル８３の軸８３２の断面積より少し大きい溝８１６が大径部８１１の開口端から底部に向けて略コ字形に切られている（図１１参照）。中径部８１２は大径部８１１に同芯的に連続する中空の円筒状に形成され、全長が比較的長い所定の長さに形成され、小径部８１３側の端部に小径部８１３の内周面と同径の開口８１７が形成される。また、この中径部８１２の外周面はねじが切られて、この外周面にこの蓋ロック部材８の取付固定用のナット（六角ナットなど）８０が取り付けられる（図１１参照）。小径部８１３は中径部８１２に同芯的に連続する中空の円筒状に形成され、全長が比較的短い所定の長さに形成され、その突出端に小径部８１３の内周面と同径の開口８１８が形成される。また、この小径部８１８の外周部には開口８１８縁部の相互に対称の所定の位置２箇所にそれぞれ略９０°の範囲に亘って後述の回転方向ガイドピン８４４が嵌合可能な比較的浅い溝形にして回転方向ガイド８１９ａが切られ、その一端からさらに軸方向に向けて連続的に所定の長さに延び、回転方向ガイドピン８４４が嵌合可能に比較的小さい幅の溝形にして進退方向ガイド溝８１９ｂが切られる。結果として、これらのガイド溝８１９ａ、８１９ｂは小径部８１３の外周部に略Ｌ字形に形成される。
内側の円筒部８２はステンレス鋼鋳鋼品で、図１３に示すように、基端側の大径部８２１と先端側の小径部８２２とからなる。この円筒部８２は全体が充実軸からなり、大径部８２１は外側の円筒部８１の大径部８１１内にその内周面に沿って嵌合可能に、またこの大径部８１１内で回転可能に円筒状に形成され、その軸芯上にハンドル８３の軸８３２が嵌合可能にハンドル８３の軸８３２の断面積よりも僅かに大きい中空部８２３が形成される。また、この中空部８２３はその一部がこの円筒部８２の外周方向に延び、外周部の一部に溝形に開口される（以下、この開口を中空部の外周部開口８２４という。）。したがって、この中空部８２２は大径部８２１の天面から見て略コ字形又は略Ｕ字形の溝形形状に切り欠かれている。小径部８２２は大径部８２１に同芯的に連続し、比較的長い所定の長さの円筒状に形成される。この小径部８２２の軸芯上の大径部８２１側一方の端部側に大径部８２１の底部から所定の径の小さい穴８２５が所定の長さに形成され、他方の端部側に所定の径の大きな穴８２６が所定の長さに形成されて他方の端面が開口される。この大きな穴８２６の外周部にはこの穴８２６の底部側から開口に向けて対称的に後述の進退方向ガイドピン８４３が嵌合可能に、一対の略螺旋形の部分形状をなすスリットが切られて進退方向ガイド８２７が形成される。
ハンドル８３はステンレス鋼鋳鋼品で、図９及び図１０に示すように、全体が略Ｔ型に形成され、グリップ８３１と、グリップ８３１の中央に突出される軸８３２とからなる。この場合、図１１に示すように、軸８３２は断面四角形に形成され、その先端面とグリップ８３１とともにＴ字形をなす一方の側面で先端側にそれぞれ、所定径の小さな鋼球９０が嵌合可能な略半球状の溝８２８が形成される。このハンドル８３は内側の円筒部８２の大径部８２１にディテントスプリング９１、鋼球９０を介して取付ピン８２９により軸支される。この場合、大径部８２１の中空部底部の小さな穴８２５上にディテントスプリング９１を介して鋼球９０が配置される。ここで鋼球９０はディテントスプリング９１により穴８２５から飛び出す方向に付勢される。ハンドル８３の軸８３２は、一方の側面の半球状の溝８２８を大径部８２１の中空部８２３の外周部開口８２４に向けて、大径部８２１の中空部８２３に挿入され、この半球状の溝８２８を有する側面に対して両側の面に大径部８２１側から取付ピン８２９が通されてこの取付ピン８２９を介して回動可能に取り付けられる。このようにしてハンドル８３は、軸８３２が内側の円筒部８２の大径部８２１（内側の円筒部８２の基端部）に大径部８２１と同軸上に延び、内側の円筒部８２と一体に回転する作動連結位置と、軸８３２が大径部８２１の軸方向に対して溝形の中空部８２３を通して直角の位置に倒伏し、内側の円筒部８２と一体に回転可能しない作動連結解除位置との間を回動可能に取り付けられ、軸８３２が作動連結位置にある場合は、この状態が軸８３２先端面の半球状の溝８２８と大径部８２１底部の鋼球９０との弾性係合により保持され、軸８３２が作動連結解除位置にある場合は、この状態が軸８３２側面の半球状の溝８２８と大径部８２１底部の鋼球９０との弾性係合により保持される。
駆動軸８４はステンレス鋼鋳鋼品で、図１１に示すように、全体として円筒状に形成される。この駆動軸８４は充実軸からなり、内側の円筒部８２の小径部８２２の大きな穴８２６内にその内周面に沿って嵌合可能に、またこの大きな穴８２６内で回転可能に所定の長さを有する円筒状に形成され、その先端側に先端面を開口して雌ねじ８４０が設けられる。また、この駆動軸８４の基端部側と先端部側所定の位置にそれぞれ軸芯に対して直角にピン挿通部８４１、８４２が形成され、基端部側のピン挿通部８４１にこのピン挿通部８４１よりも長いステンレス軸からなる進退方向ガイドピン８４３が挿通され、先端部側のピン挿通部８４２にこのピン挿通部８４２よりも長いステンレス軸からなる回転方向ガイドピン８４４が挿通される。
係止部８５はステンレス鋼板からなり、図１１に示すように、細長い板状に形成され、一端側に軸挿通部８５０が穿たれる。この係止部８５は一端が駆動軸８４の先端面に配置され、係止部８５の軸挿通部８５０上に複数の座金９２を介して、ねじ９３が軸挿通部８５０に挿通され、駆動軸８４の先端面の雌ねじ８４０に締結されて固定される。
蓋ロック部材８はこれら駆動軸８４、内側の円筒部８２、外側の円筒部８１、係止部８５が順次組み立てられて形成される。すなわち、駆動軸８４は後端部側から内側の円筒部８２の大きな穴８２６に先端の開口から挿入され、この穴８２６の底部まで挿通されて、駆動軸８４の先端部側をピン挿通部８４２が内側の円筒部８２の先端から外部に露出するように突出されるとともに、駆動軸８４の基端部側のピン挿通部８４１が内側の円筒部８２の進退方向ガイド８２７の一端側に対向され、この状態でピン挿通部８４１、進退方向ガイド８２７間に進退方向ガイドピン８４３が通されて、駆動軸８４が内側の円筒部８２内に（内側の円筒部８２の回転運動により）進退方向ガイドピン８４３と進退方向ガイド８２７とを案内にして所定の距離だけ進退可能に組み立てられる。このようにして組み立てられた内側の円筒部８２と駆動軸８４は、内側の円筒部８２の小径部８２２の基端部側にパッキン９５が取り付けられて、駆動軸８４の先端から外側の円筒部８１の大径部８１１に挿入され、中径部８１２を通し、小径部８１３から突出されて、内側の円筒部８２の大径部８２１及び小径部８２２がそれぞれ外側の円筒部８１の大径部８１１及び中径部８１２に回転可能に嵌め込まれる。この状態で外側の円筒部８１の小径部８１３の進退方向ガイド８１９ｂ又は回転方向ガイド８１９ａ（図１２参照）を通じて駆動軸８４の先端側のピン挿通部８４２に回転方向ガイドピン８４４が挿通されて、駆動軸８４が外側の円筒部８１内に回転方向ガイドピン８４４と進退方向ガイド８１９ｂとを案内にして所定の距離だけ進退可能に、かつこの回転方向ガイドピン８４４と回転方向ガイド８１９ａとを案内にして所定の回転角度だけ回転可能に組み立てられる。そして、外側の円筒部８１の小径部８１３上にコイルスプリング９６が巻き付けられ、係止部８５が駆動軸８４の先端にコイルスプリング９６を介して既述のとおりに取り付けられて、駆動軸９４の軸方向に対して直角方向に向けて突出される。
このようにして内側の円筒部８２の外周部に形成された進退方向ガイド８２７に駆動軸９４の基端部側のピン挿通部８４１に通された進退方向ガイドピン８４３が係合され、外側の円筒部８１の小径部８１３に形成された回転方向ガイド８１９ａ及び進退方向ガイド８１９ｂに駆動軸８４の先端部側のピン挿通部８４２に通された回転方向ガイドピン８４４が係合され、これら進退方向ガイド８２７及び進退方向ガイドピン８４３、回転方向ガイド８１９ａ、進退方向ガイド８１９ｂ及び回転方向ガイドピン８４４の案内により、内側の円筒部８２の一方向の回転運動により、駆動軸８４を内側の円筒部８２の回転方向に所定の角度だけ回転案内し、駆動軸８４が当該回転方向に所定の角度だけ回転した地点で駆動軸８４を内側の円筒部８２の軸上を後退方向に移動案内し、内側の円筒部８２の他方向の回転運動により、駆動軸８４を内側の円筒部８２の軸上を前進方向に移動案内し、駆動軸８４が内側の円筒部８２内を所定の距離だけ前進移動した地点で駆動軸８４を内側の円筒部８２の回転方向に所定の角度だけ回転案内する形式のガイド機構８６が構成される。
【００２１】
図１４に延長枠を示している。図１４に示すように、延長枠Ｌは、アルミダイカストにより一体に成形され、外側一方の面が任意のコーナー形状を呈し、内側他方の面の両端部にそれぞれ箱形の高さ方向及び幅方向に延びる複数の凸部が突設され、箱形の正面及び／又は背面の各コーナーＣの延長をなす延長コーナーブロック６１と、アルミ押出材からなり、外側一方の面がフラットで内側他方の面に延長コーナーブロック６１の高さ方向又は幅方向の凸部が嵌合可能な凹部形状部を長さ方向に連続して形成されてなる延長枠構成フレーム基材から、箱形の正面側及び背面側の各枠Ｆの各辺と対応する長さにカットされ、各延長コーナーブロック６１間に連結される延長枠構成フレーム６２とを備えて構成される。
この場合、延長コーナーブロック６１は、図１５に示すように、外側一方の面６１１が斜めの略フラット面をなし、内側他方の面６１２はコーナーブロック１の前部に設けられたガイド面１２５と同様のガイド面６１３が形成され、その上下端部にそれぞれ箱形の高さ方向及び幅方向に延びる複数の凸部６１４、６１５が形成される。この場合、内側他方の面６１２の上端部、下端部にそれぞれ、対称的に、複数の同じ平板状の凸部６１４、６１５が並列に形成される。なお、各凸部６１４、６１５（の側面）にねじ穴が設けられる。また、この延長コーナーブロック６１の場合、後部に内側方向に適宜の段差を付けて後方に突出し、コーナーブロック１のガイド面１２５に係合可能なガイド凸形形状部６１６が形成される。これは、ラック本体Ａの正面及び背面と正面側及び背面側の各延長枠Ｌとの間に設けられ、正面側及び背面側の各延長枠Ｌをラック本体Ａの正面及び背面に位置決めし保持するための位置決めガイドＧ２の他方をなすガイド凸起になっている。また、この場合、ガイド凸形形状部６１６の突出端に内方に向けて直角に突状部６１７が形成され、この突状部６１７に一方の面から他方の面に向けてねじ挿通部６１８が貫通形成される。これは、延長枠Ｌとラック本体Ａとを結合するねじを通すためのもので、このねじ挿通部６１８はラック本体Ａのコーナーブロック１のめねじ（ナット）１２４に対向されるようになっている。このようにして、１つのラックＲ１につき８個の延長コーナーブロック６１により、箱形の正面側及び背面側の各延長枠Ｌの各コーナーが構成される。
延長枠構成フレーム６２は、図１６及び図１７に示すように、枠構成フレーム２及び蓋枠構成フレーム７２に連接可能な大きさ及び形状の前側、後側の複数の分割フレーム６０１、６０２からなる。これらの分割フレーム６０１、６０２は（図１６、図１７参照）、他のフレームと同様に、アルミ押出材からなり、外側一方の面（６２１）がフラットで内側他方の面（６２２）に延長コーナーブロック６１の高さ方向又は幅さ方向の凸部６１４、６１５が嵌合可能な凹部（６２４、６２５）が形成され、さらに前後の分割フレーム６０１、６０２間で相互に連接可能な凸状部（６２３）が形成されてなる延長枠構成フレーム基材から、箱形の正面及び背面の各蓋Ｂ１、Ｂ２の各枠ｆの各辺の長さにカットされて、各延長コーナーブロック６１間に連結される。なお、凹部（６２４、６２５）（の側面）にねじ穴が設けられる。このようにして、１つのラックＲ１につき、図１６に示す２組の上下の複数の分割フレーム６０１、６０２、図１７に示す２組の左右の複数の分割フレーム６０１、６０２により、箱形の正面側及び背面側の各延長枠Ｌの各枠が構成される。
【００２２】
このようにしてラック本体Ａ、延長枠Ｌ及び蓋Ｂ１、Ｂ２の構成部品が形成され、それぞれ、次のようにして組み立てられる。
図１及び図２に示すように、ラック本体Ａの場合、箱形の各コーナーをなす８個のコーナーブロック１と、箱形の正面及び背面の各枠を構成する８本の枠構成フレーム２と、箱形の正面側及び背面側の各枠間を繋ぐ４本の奥行フレーム３とを、各コーナーブロック１の高さ方向、幅方向及び奥行方向の各凸部１２１、１２２、１２６及び１２３と枠構成フレーム２の各凹部形状部２２１、２２２、２２６及び２２３、及び奥行フレーム３の各凹部形状部（略台形の内部空間をなす断面形状）との係合とこの係合部分のねじ固定によりそれぞれ組み立てるとともに、各枠構成フレーム２と各奥行フレーム３とにより構成される上下左右の各面にパネル４（上下のパネル、左右のパネル）を各枠構成フレーム２と各奥行フレーム３の各側縁の各溝２２４、３２１に組み入れて、ラック本体Ａを組み立てる。
すなわち、まず、正面側、背面側の枠Ｆ１、Ｆ２毎に、各コーナーブロック１の高さ方向の各凸部１２１を枠構成フレーム２をなす左右の各フレーム２０２の各凹部形状部２２１に差し込み、各コーナーブロック１間に左右の各フレーム２０２を連結し、同様に、各コーナーブロック１の幅方向の各凸部１２２を枠構成フレーム２をなす上下の各フレーム２０１の各凹部形状部２２２に差し込み、各コーナーブロック１間に上下の各フレーム２０１を連結し、各連結部をねじを用いて固定する。この場合、各枠構成フレーム２の凹部形状部２２１、２２２の連結部付近の周面にねじ穴が設けられているので、このねじ穴にねじを締結して、当該凹状形状部２２１、２２２内に差し込まれた各コーナーブロック１の凸部１２１、１２２を締め込み固定する。これにより、正面側及び背面側の各枠Ｆが組み立てられる。
続いて、これら正面側、背面側の各コーナーブロック１の奥行方向の各凸部１２３を奥行フレーム３の各凹部形状部に差し込んで連結し、各連結部をねじを介して固定して、正面側の枠Ｆの各コーナーブロック１と背面側の枠Ｆの各コーナーブロック１との間を奥行フレーム３で繋いでいき、これと同時に、各枠構成フレーム２の上下のフレーム２０１と上下の各奥行フレーム３とにより構成される上下の各面に上下のパネル４を、各枠構成フレーム２の左右のフレーム２０２と上下の各奥行フレーム３とにより構成される左右の各面に左右のパネル４を、それぞれ、各枠構成フレーム２及び各奥行フレーム３の各側縁の各溝２２４、３２１に挿入して組み入れる。これにより、ラック本体Ａが組み立てられる。
箱形の正面及び背面の各蓋Ｂ１、Ｂ２の場合、正面及び背面の各蓋Ｂ１、Ｂ２の各コーナーをなす蓋コーナーブロック７１と、正面及び背面の各蓋Ｂ１、Ｂ２の各枠を構成する蓋枠構成フレーム７２とを、蓋コーナーブロック７１の幅方向及び高さ方向の凸部７１４と蓋枠構成フレーム７２の凹部７２４との係合とこの係合部分のねじ固定により組み立てるとともに、各蓋枠構成フレーム７２により構成される正面及び背面の各面に蓋パネル７３を組み入れて、正面及び背面の各蓋Ｂ１、Ｂ２を組み立てる。
すなわち、正面、背面の各蓋Ｂ１、Ｂ２毎に、各蓋コーナーブロック７１の幅方向の各凸部７１４を蓋枠構成フレーム７２をなす上下の各フレーム７２Ｌの各凹部７２４に差し込み、各蓋コーナーブロック７１間に上下の各フレーム７２Ｌを連結し、同様に、各蓋コーナーブロック７１の高さ方向の各凸部７１４を蓋枠構成フレーム７２の左右の各フレーム７２Ｓの各凹部７２４に差し込み、各蓋コーナーブロック７１間に左右の各フレーム７２Ｓを連結し、各連結部をねじを用いて固定する。この場合（図８参照）、各蓋コーナーブロック７１の幅方向及び高さ方向の各凸部７１４の蓋枠構成フレーム７２の各凹部７２４への差し込みとともに各蓋コーナーブロック７１の各凹部７１５に蓋枠構成フレーム７２の各凸部７２５が嵌り込み、蓋コーナーブロック７１の凹部７１５にねじ挿通部が設けられ、蓋枠構成フレーム７２の凸部７２５にねじ穴が設けられているので、このねじ挿通部にねじを通し、ねじ穴に締結して、各蓋コーナーブロック７１と各蓋枠構成フレーム７２を連結固定する。これにより、正面及び背面の各蓋Ｂ１、Ｂ２が組み立てられる。
そして、ラック本体Ａの正面及び背面に、正面及び背面の各蓋Ｂ１、Ｂ２を合わせ、各蓋Ｂ１、Ｂ２の蓋枠構成フレーム７２に蓋ロック部材８を装着し枠構成フレーム２に係合させてロックし、ラック本体Ａと各蓋Ｂ１、Ｂ２とを結合する。
この場合、蓋コーナーブロック７１にガイド凸起７１６を有し、コーナーブロック１にガイド係合部１２５を有し、ラック本体Ａの正面及び背面と正面及び背面の各蓋Ｂ１、Ｂ２との間に、ラック本体Ａの正面及び背面に正面及び背面の各蓋Ｂ１、Ｂ２を位置決めし保持するための位置決めガイドＧ１が設けられているので、この位置決めガイドＧ１の案内及び支持により、正面及び背面の各蓋Ｂ１、Ｂ２をそれぞれラック本体Ａの正面及び背面に簡単かつ確実に位置合わせし、連接した状態に保持することができる。また、この場合（図９、図１０参照）、４個の蓋ロック部材８が蓋枠構成フレーム７２の４隅近傍に形成されたロック部材挿通部に挿通固定される。これらの蓋ロック部材８はそれぞれ、外側の円筒部８１の中径部８１２がロック部材挿通部に通されて、この中径部８１２に六角ナット８０がワッシャー９７を介して螺合され、外側の円筒部８１の大径部８１１と六角ナット８０とによりロック部材挿通部の周囲を挟持して取り付けられる。
そして、ハンドル８３の初期位置（この場合、駆動軸８４が外側の円筒部８１から最大限に突出し、係止部８５がラック本体Ａ側の被係合部に対して離脱されており、また、ハンドル８３はハンドルの軸８３２が内側の円筒部８２の溝形の中空部８２３及び外側の円筒部８１の一方の溝８１６を通して外側の円筒部８１の軸方向に対して直角に倒伏されて折り畳まれた状態）から、ハンドル８３を引き起こし、ハンドルの軸８３２を作動連結位置にして、このハンドル８３を所定の一方向に一定の角度（この場合、略９０°）まで回転操作すると、外側の円筒部８１内で内側の円筒部８２がハンドル８３と一体に回転され、この蓋ロック部材８のガイド機構８６の作用により、内側の円筒部８２内で駆動軸８４が同方向に回転するとともに係止部８５が同方向に回動して枠構成フレーム２に設けられた所定の被係合部に係合し、ハンドル８３をさらに同方向に一定の角度（この場合、略３０°）まで回転すると、外側の円筒部８１内で内側の円筒部８２がハンドル８３と一体に回転され、この蓋ロック部材８のガイド機構８６の作用により、内側の円筒部８２内で駆動軸８４が後退運動するとともに係止部８５が同方向に移動して枠構成フレーム２と蓋枠構成フレーム７２とを相互に引き寄せる方向に加圧され、各構成フレーム２、７２が圧接された状態で、ラック本体Ａと蓋Ｂ１、Ｂ２がロックされる。このようにしてラック本体Ａと蓋Ｂ１、Ｂ２をロック状態にすると、内側の円筒部８２の溝形の中空部８２３の外周部開口８２４と外側の円筒部８１の大径部８１１の一方の溝８１６が一致して連通し、ハンドルの軸８３２が直角に回動可能となり、ハンドル８３をこの中空部８２３及び溝８１６に向けて倒し、ハンドルの軸８３２をこの中空部８２３及び溝８１６を通して大径部８１１の軸方向に対して直角に倒伏して、作動連結解除位置にすると、この中空部８２３及び溝８１６と軸８３２との係合によりハンドル８３の回転方向の動きが規制されてハンドル８３がロックされ、これにより蓋ロック部材８の緩みが防止されて、ラック本体Ａと蓋Ｂ１、Ｂ２との確実なロック状態が得られる。また、この場合、ハンドル８３を倒すことで、このハンドル８３が蓋Ｂ１、Ｂ２の外周縁部をなす蓋枠構成フレーム７２の外側縁部の高さ内に収められる。
また、この中空部８２３及び溝８１６を通して倒伏されたハンドル８３を反対に９０°回動して作動連結位置に引き起こすと、この中空部８２３及び溝８１６と軸８３２との係合が外れてハンドル８３のロックが解除される。そして、ハンドル８３を他方向、つまり反対方向に一定の角度（この場合、略３０°）までに回転すると、外側の円筒部８１内で内側の円筒部８２がハンドル８３と一体に回転され、この蓋ロック部材８のガイド機構８６の作用により、内側の円筒部８２内で駆動軸８４が前進運動するとともに係止部８５が同方向に移動して枠構成フレーム２と蓋枠構成フレーム７２とを相互に引き寄せる方向の加圧力が解除されて、各構成フレーム２、７２間の接触が緩められ、ハンドル８３をさらに同方向に一定の角度（この場合、略９０°）まで回転すると、外側の円筒部８１内で内側の円筒部８２がハンドル８３と一体に回転され、この蓋ロック部材８のガイド機構８６の作用により、内側の円筒部８２内で駆動軸８４が同方向に回転するとともに係止部８５が同方向に回動して枠構成フレーム２に設けられた所定の被係合部に対する係合が解除され、ラック本体Ａと蓋Ｂ１、Ｂ２とのロック状態が解除される。
【００２３】
また、ラック本体Ａの正面側及び／又は背面側の各枠Ｆと正面の蓋Ｂ１の枠ｆ及び／又は背面の蓋Ｂ２の枠ｆとの間に延長枠Ｌを介在し、ラック本体Ａの長さを調整する場合は、延長枠Ｌが併せて組み立てられ、ラック本体Ａと各蓋Ｂ１、Ｂ２又はその一方との間に組み入れられる。
この場合、図１４に示すように、正面及び／又は背面の各延長枠Ｌの各コーナーをなす延長コーナーブロック６１と、正面及び／又は背面の各延長枠Ｌの各枠を構成する延長枠構成フレーム６２とを、延長コーナーブロック６１の幅方向及び高さ方向の凸部６１５、６１４と延長枠構成フレーム６２の凹部６２５、６２４との係合とこの係合部分のねじ固定により組み立てる。
すなわち、正面、背面の延長枠Ｌ毎に、各延長コーナーブロック６１の幅方向の各凸部６１５を延長枠構成フレーム６２をなす上下の各分割フレーム６０１、６０２の凹部６２５に差し込み、各延長コーナーブロック６１間に上下の各分割フレーム６０１、６０２を連結し、同様に、各延長コーナーブロック６１の高さ方向の各凸部６１４を延長枠構成フレーム６２をなす左右の各分割フレームフレーム６０１、６０２の凹部６２４に差し込み、各延長コーナーブロック６１間に左右の各分割フレーム６０１、６０２を連結し、各連結部をねじを用いて固定する。これにより、正面、背面の各延長枠Ｌが組み立てられる。
そして、ラック本体Ａの正面及び／又は背面に、ラック本体Ａと延長枠Ｌとの間の位置決めガイドＧ２により、正面及び／又は背面の各延長枠Ｌを合わせ、各延長枠Ｌの延長枠構成フレーム６２の四隅のねじ挿通部６１８にねじを通し、枠構成フレーム２に締結して、ラック本体Ａと延長枠Ｌとを結合する。
このようにして今度はこの延長枠Ｌに蓋Ｂ１、Ｂ２を結合する。この場合、正面及び／又は背面の延長枠Ｌに、正面及び／又は背面の各蓋Ｂ１、Ｂ２を合わせ、各蓋Ｂ１、Ｂ２の蓋枠構成フレーム７２に蓋ロック部材８を装着し延長枠構成フレーム７２の所定の被係合部に係合させてロックし、延長枠Ｌと蓋Ｂ１、Ｂ２とを結合する。この蓋ロック部材８による延長枠構成フレーム７２に対するロック及びロック解除は既述の蓋ロック部材８による枠構成フレーム２に対するロック及びロック解除と同様である。
【００２４】
この機器収納ラックＲ１はまた、取手、脚及びキャスターなど各種の付属品を備え、ラック本体Ａに、これらの付属品を取り付けるための各種の付属品の取付構造を備える。この取付構造は、図１８に示すように、ラック本体Ａの奥行フレーム３を利用し、これに付属部品の固定板３３、取付部材３４及びねじ３５を用いて構成される。
奥行フレーム３の外側の面３１は、取手、脚及びキャスターを含む各種の付属品のための取付溝になっている。
固定板３３は、この取付溝３１の開口側の溝幅より小さい幅で、かつ開口側の溝幅より大きく底部側の溝幅と略同じか少し小さい長さを有し、この取付溝３１の内側の開口両縁部に係脱可能な平板状に形成され、表側の平面から裏側の平面に向けてねじ穴３３０が貫通形成される。この場合、固定板３３は、奥行フレーム３の取付溝３１の内側の開口両縁部に係止可能に略長方形の平板に形成され、かつ平板の４つのコーナーのうち、一方の対角線上で対向する各コーナーが面取りされて略円弧状に形成されることが好ましい。
取付部材３４は、各種の付属品側に一体的に、取付溝３１の両側のフランジ３１１間に跨って設置可能な各種の形状に形成され、固定板３３のねじ穴３３０に対応して表側から裏側に向けてねじ穴３４０が貫通形成される。
ねじ３５はこれらの取付部材３４のねじ穴３４０から固定板３３のねじ穴３３０に貫通して螺合される。
このようにして固定板３３の幅方向を取付溝３１の幅方向に合わせ、固定板３３を取付溝３１の開口を通して、奥行フレーム３の取付溝３１の底面側へ挿入した後、固定板３３を回転させ、固定板３３の長さ方向を取付溝３１の幅方向に向けて取付溝３１の内側の開口両縁部に係合可能に配置し、この状態で、取付部材３４を取付溝３１の外側の開口両縁部間に跨って設置し、これら取付部材３４及び固定板３３の各ねじ穴３４０、３３０間にねじ３５を通して締め込むことにより、固定板３３と取付部材３４をそれぞれ、取付溝３１の開口両縁部に内側及び外側から圧接させて、取付部材３４を取付溝３１上に固定するようになっている。
取手及び脚の具体な取り付け方を図１９、図２０に例示している。
図１９に示すように、取手３６は、取付箇所一箇所に付き、取手リンク３６１と、固定板３３と、取付部材３４と、ねじ３５とを備える。この場合、取手リング３６１は、略Ｃ字形をなす。固定板３３は２つ使用され、それぞれ、既述のとおりの基本形状を有し、この固定板３３の場合、長手方向両側にそれぞれねじ穴３３０を有する。取付部材３４は２つ使用され、それぞれ、取手リング３６１の両端に上から被着可能で、かつ取付溝３１の両側のフランジ３１１間に跨って設置可能な断面略三角形状に形成され、裏面側の２面結合部が取手リング３６１の各端部に嵌合可能な断面略半球形状に形成され、２面の各面に各固定板３３のねじ穴３３０に対応して表側から裏側に向けてねじ穴３４０が貫通形成される。ねじ３５は合計４本使用される。なお、この取手３６は全体として奥行フレーム３の水平面の面積内に収められる大きさに形成される。
このようにして２つの固定板３３の幅方向を取付溝３１の幅方向に合わせ、各固定板３３を取付溝３１の開口を通して、取付溝３１の底面側へ挿入した後、固定板３３をそれぞれ回転させ、各固定板３３の長さ方向を取付溝３１の幅方向に向けて取付溝３１の内側の開口両縁部に係合可能に配置し、この状態で、２つの取付部材３４をそれぞれ取付溝３１の外側の開口両縁部間に跨って設置し、これら各取付部材３４及び各固定板３３の各ねじ穴３４０、３３０間にねじ３５を通して締め込むことにより、固定板３３と取付部材３４をそれぞれ、取付溝３１の開口両縁部に内側及び外側から圧接させて、各取付部材３４を取付溝３１上に固定する。この取付部材３４と固定板３３とのねじ締結において、固定板３３が、取付溝３１の内側の開口両縁部に係止可能に略長方形の平板に形成され、かつ平板の４つのコーナーのうち、一方の対角線上で対向する各コーナーが略円弧状に形成されていることで、固定板３３は取付溝３１内で一方向にのみ回転可能で、他方向に回転されないため、ねじ３５を取付部材３４を通して固定板３３に締め込む際に、この固定板３３はねじ３５とともに回転されることがない。なお、この取手３６はラック本体Ａの上部側の各コーナー中央付近に一箇所ずつ取り付けられてもよく、上部側の各コーナーの前後両端側にそれぞれ一箇所ずつ取り付けられてもよい。
また、図２０に示すように、脚３７は、取付部材３４と一体の脚部材３７１と、固定板３３と、ねじ３５とを備える。この場合、固定板３３は取手３６と同様に、２つ使用され、それぞれ、既述のとおりの基本形状を有し、この固定板３３の場合も、長手方向両側にそれぞれねじ穴３３０を有する。取付部材３４は取付溝３１の両側のフランジ３１１間に跨って設置可能な略矩形の平板状に形成され、長手方向両側にそれぞれ各固定板３３のねじ穴３３０に対応して２つのねじ穴３４０が幅方向に一列にして表側から裏側に向けて貫通形成される。脚部材３７１は、この取付部材３４の一端にラック本体Ａの底面に沿って延びる固定部３７２と、この固定部３７２と取付部材３４との間からラック本体Ａ上部のコーナーの傾斜面に沿って当接可能に延びる脚形状部３７３とからなる。ねじ３５は合計４本使用される。なお、この脚３７は全体として奥行フレーム３の水平面の面積内に収められる大きさに形成される。
このようにして２つの固定板３３の幅方向を取付溝３１の幅方向に合わせ、各固定板３３を取付溝３１の開口を通して、取付溝３１の底面側へ挿入した後、各固定板３３を回転させ、各固定板３３の長さ方向を取付溝３１の幅方向に向けて取付溝３１の内側の開口両縁部に係合可能に配置し、この状態で、脚部材３７の固定部３７２をラック本体Ａの底面側に沿って合わるとともに、脚部材３７１に一体の取付部材３４を取付溝３１の外側の開口両縁部間に跨って設置し、これら取付部材３４及び各固定板３３の各ねじ穴３４０、３３０間にねじ３５を通して締め込むことにより、固定板３３と取付部材３４をそれぞれ、取付溝３１の開口両縁部に内側及び外側から圧接させて、取付部材３４を取付溝３１上に固定する。この場合の固定板３３の作用は既述のとおりである。
なお、この脚３７はラック本体Ａ下部の各コーナーの両端付近に１つずつ取り付けられる。
キャスターについては説明を省略するが、このキャスターの取り付け方は、基本的に、脚と同様である。なお、キャスターもまた、全体として奥行フレームの水平面の面積内に収められる大きさに形成される。
【００２５】
さらに、この機器収納ラックＲ１には、複数のラック本体Ａ間を接続するラック接続部品１０を備える。図２１（ａ）に示すように、このラック接続部品１０は、一端に一方のラック本体Ａの奥行フレーム３のフランジ３１１に係合可能な係止爪１０１を有するプレートにより形成され、当該プレートの平面上にスクリューシャフト１０２が立設されてなる第１のフック１０３と、一端に他方のラック本体Ａの奥行フレーム３のフランジ３１１に係合可能な係止爪１０４を有するプレートにより形成され、当該プレートの平面上に当該プレートの両端方向に延び、第１のフック１０３のスクリューシャフト１０２を挿通可能な長穴１０５が形成されてなり、この長穴１０５にスクリューシャフト１０２を通して第１のフック１０３上に重合される第２のフック１０６と、第２のフック１０６の上からスクリューシャフト１０２に螺合され、第２のフック１０６を第１のフック１０３に向けて押圧可能なつまみ付きのナット１０７とを具備する。
このようにして、図２１（ｂ）、（ｃ）に示すように、上下方向に積み重ねられた各ラックＲ１又は左右方向に並置された複数のラックＲ１の、一方の奥行フレーム３の片側一方のフランジ３１１に第１又は第２のフック１０３、１０６の一方の係止部１０１又は１０４を掛け、このフック１０３又は１０６に対して他方のフック１０６又は１０３を伸縮させて第１、第２のフック１０３、１０６全体の長さを調整しながら、他方のフック１０６又は１０３の係止部１０４又は１０１を他方の奥行フレーム３の片側一方のフランジ３１１に掛けて、この状態で第１のフック１０３のスクリューシャフト１０２にナット１０７を締め込み、第２のフック１０６を第１のフック１０３に向けて押圧することにより第１、第２のフック１０３、１０６間を固定して、各ラックＲ１間を接続固定するようになっている。
【００２６】
この機器収納用ラックＲ１の使い方について図１、及び図２２を用いて説明する。図１に示すように、この機器収納用ラックＲ１は、ラック本体Ａと、正面及び背面の蓋Ｂ１、Ｂ２とからなるので、ラック本体Ａの正面及び背面が開放された状態から、ラック本体Ａにコンピュータ、通信機器、電気機器など各種の機器を収容する。また、このラック本体Ａに複数の機器を上下に分けて収納する場合は、ラック本体Ａの内側側面の補強プレート５又は枠構成フレーム２に必要な組数のアングルプレート５５を上下に必要な間隔でねじにより取り付け、これらのアングルプレート５５を使って、各機器を多段的に収容する。そして、このラックＲ１の使用形態に応じて、選択的に、ラック本体Ａの正面、背面に蓋Ｂ１、Ｂ２を被せ付け、蓋ロック部材８を用いて蓋Ｂ１、Ｂ２をラック本体Ａにロックする。この場合において、図２２に示すように、複数のラックＲ１を上下方向に積み重ねたり、あるいは左右方向に並置したり、又は上下左右に組み合わせて設置したりする場合は、複数のラック本体Ａ間をラック接続部品１０を用いて接続することにより、各ラックＲ１間が確実に固定され、各ラックＲ１が安定的に設置される。
また、このラックＲ１に各種の機器を収納して搬送する場合は、ラック本体Ａ上部側の各コーナー中央付近又は両端付近に取手３６を１つずつに取り付ければ、これらの取手３６により、ラックＲ１の上げ下ろし、搬送を容易に行うことができる。
さらに、このラックＲ１を設置面に脚３７を用いて設置する場合は、ラック本体Ａ下部側の各コーナーの両端付近に脚３７を１つずつ取り付ける。このようにラック本体Ａに脚３７を取り付けていても、各ラックＲ１を上下方向に積み重ねることができ、この場合、各ラックＲ１の脚３７が各ラックＲ１の各コーナーに沿って当接されるので、これがずれ止めになって、各ラックＲ１が安定される。また、この場合において、各脚３７が前後方向にずれるようなことがあっても、各ラック本体Ａのコーナーブロック１により各脚３７の前端方向又は後端方向の動きが規制されるので、各ラックＲ１間のずれは確実に防止される。さらにこの場合、各脚３７をラック本体Ａの各コーナーブロック１とラック本体Ａ上部側の各コーナーに取り付けられる取手３７の取付部材３４との間に挟持固定することにより、各脚３７のずれを確実に防止することができる。また、このラックＲ１を設置面に移動可能に設置する必要があれば、脚３７に代えて、キャスターを１つずつ取り付ければよく、ラックＲ１をキャスターの転動により容易に移動することができる。
【００２７】
以上説明したように、この機器収納用ラックＲ１では、ボックス型のラックとして構成し、キャビネット型のラックに比べて、全体の大きさを小さくすることができ、コンピュータ、通信機器、電気機器など各種の機器を屋内で移動したり屋外へ移動したりしようとする場合に、各種の機器をこのラックＲ１に収納した状態でラックＲ１ごと搬送、設置することができる。特に、このラックＲ１の場合、全体がアルミ材のブロック、フレーム及びパネルにより形成され、しかも、枠構成フレーム２が、アルミ押出材からなり、外側一方の面がフラットで内側他方の面にコーナーブロック１の高さ方向又は幅方向の凸部が嵌合可能な凹部形状部を長さ方向に連続して形成されるとともに、片側一方の側縁部に沿って溝を形成されてなる枠構成フレーム基材から、箱形の正面側及び背面側の各枠Ｆの各辺の長さにカットされて、各コーナーブロック１間に連結され、奥行フレーム３が、アルミ押出材からなり、外側の面にコーナーブロックの奥行方向の凸部が嵌合可能な凹部形状部を長さ方向に連続して形成されるとともに内側の面の両側に沿って溝を形成されてなる枠構成フレーム基材から、箱形の正面側及び背面側の各枠Ｆ間の奥行方向の各辺の長さにカットされて、各コーナーブロック１間に連結され、蓋枠構成フレーム７２が、アルミ押出材からなり、外側一方の面がフラットで内側他方の面に蓋コーナーブロック７１の高さ方向又は幅方向の凸部が嵌合可能な凹部形状部を長さ方向に連続して形成される外側フレーム、及び外側フレームの内側他方の面に当該面に対して直角方向に延び、先端に溝を有する内側フレームからなる蓋枠構成フレーム基材から、箱形の正面及び背面の各蓋Ｂ１、Ｂ２の各枠ｆの各辺の長さにカットされて、各蓋コーナーブロック７１間に連結され、さらに補強フレーム５が、アルミ押出材からなり、断面ハット形からなる補強フレーム基材から、奥行フレーム３間に架け渡し可能な長さにカットされて、各奥行フレーム３間に連結され、またさらに延長枠Ｌの延長枠構成フレーム６２が、アルミ押出材からなり、外側一方の面がフラットで内側他方の面に延長コーナーブロック６１の高さ方向又は幅方向の凸部が嵌合可能な凹部形状部を長さ方向に連続して形成されてなる延長枠構成フレーム基材から、箱形の正面及び背面の各枠Ｆの各辺と対応する長さにカットされて、各延長コーナーブロック６１間に連結され、これらのフレームの内面側の凹部形状部を含む断面形状により、これら各フレームの剛性が高められるので、ラックＲ１全体の強度を顕著に向上させることができる。この場合、特に、垂直荷重に強く、また、斜めからの圧力に対しても強い剛性を維持することができ、例えば、ラックＲ１の搬送の際に、複数のラックＲ１を車両などに積み重ねて搭載しても、下のラックＲ１が上のラックＲ１の重みで変形してラックＲ１内の機器が損傷する恐れかなく、また、これら各種の機器を収納したラックＲ１を所定の設置場所に所要のレイアウトで積み上げても、同様に、下のラックＲ１が上のラックＲ１の重みで変形してラックＲ１内の機器が損傷する恐れもなく、各種の機器をラックＲ１ごと自由なレイアウトで安定的に確実に段積み配置することができる。また、この場合、蓋Ｂ１、Ｂ２の蓋パネル７３が矩形状のパネルとして形成され、そのパネル面に補強用のリブ７３１が付けられて補強されているので、ラックＲ１の蓋Ｂ１、Ｂ２側に障害物などが衝突した場合でも、ラック本体Ａ内で蓋Ｂ１、Ｂ２の内側直近まで配置される各種の機器を外部の衝撃から保護することができる。なお、このリブ３７１にクッション性の高い保護カバーなどが併せて取り付けられることで、その効果は一層増大する。
このようにラックＲ１は各種の機器を収納して自由なレイアウトで多段的に積み重ねることができることで、キャビネット型のラックと同様に利用することができ、またこれらの機器を屋内で移動したり屋外へ移動したりするような場合に、各機器をラックＲ１に収納した状態でラックＲ１ごと容易に搬送、設置することができる。また、同一の設置場所においても、これらの機器を一つのシステムとしてより使いやすいレイアウトに組み立てし直したり機器の変更又は追加により全体又は一部の機器のレイアウトを変更したりしようとする場合に、各機器をラックＲ１毎を出し入れして、所望のレイアウトを容易に作ることができる。
したがって、このラックＲ１によれば、屋内、屋外を問わず、コンピュータ、通信機器、電気機器など各種の機器の収納、搬送及び設置を簡単かつ確実に行うことができる。
【００２８】
また、このラックＲ１の場合、箱形の各コーナーをなす８個のコーナーブロック１と、箱形の正面及び背面の各枠を構成する８本の枠構成フレーム２と、箱形の正面及び背面の各枠間を繋ぐ４本の奥行きフレーム３とを、各コーナーブロック１の高さ方向、幅方向及び奥行方向の各凸部と枠構成フレーム２の各凹部形状部及び奥行フレーム３の各凹部形状部との係合とこの係合部分のねじ固定によりそれぞれ組み立てるとともに、各枠構成フレーム２と各奥行フレーム３とにより構成される上下左右の各面にパネル４（上下のパネル、左右のパネル）を各枠構成フレーム２と各奥行フレーム３の各側縁の各溝に組み入れて、ラック本体Ａを組み立て、正面及び背面の各蓋Ｂ１、Ｂ２の各コーナーをなす蓋コーナーブロック７１と、正面及び背面の各蓋Ｂ１、Ｂ２の各枠を構成する蓋枠構成フレーム７２とを、蓋コーナーブロック７１の高さ方向及び幅方向の凸部と蓋枠構成フレーム７２の凹部形状部との係合とこの係合部分のねじ固定により組み立てるとともに、各蓋枠構成フレーム７２により構成される正面及び背面の各面に蓋パネル７３を組み入れて、正面及び背面の蓋Ｂ１、Ｂ２を組み立てるので、パネルをねじ止めすることがないなどラック本体Ａ及び各蓋Ｂ１、Ｂ２の組み立てを簡易かつ確実に行うことができる。
さらに、このラックＲ１の場合、各フレーム２、３、５、７３がアルミ押出材からなる各フレーム基材から必要な寸法にカットされて形成されるので、ラックＲ１全体の大きさを任意に変更することができ、ユーザーのニーズに容易に対応することができる。この場合、ラックＲ１の内部容量に合わせてミリ単位でサイズ変更が可能である。図２３にサイズを小さくしたラックＲ２を例示した。
【００２９】
またさらに、このラックＲ１では、次のような多くの利点がある。
（１）コーナーブロック１及び蓋コーナーブロック７１はそれぞれ、外側一方の面が斜めの略フラット面をなし、奥行フレーム３は奥行方向に延びる垂直面と水平面とからなり、直角をなす２面側が外側の面、反対の２面側が内側の面で、外側の面に、垂直面、水平面の２面接合部と平行の各側部からそれぞれ他方の側部に向けてフランジが突出されて、この面が、取手、脚及びキャスターを含む各種の付属品のための取付溝３１をなしており、既述のとおり、この取付溝３１に付属部品の固定板３３、取付部材３４及びねじ３５を用いて、奥行フレーム３の外側の面に、取手３６、脚３７及びキャスターを含む各種の付属品を後付けで取り付けるようにしたので、これらの部品を必要に応じて任意にかつ強固にしかも特別の加工を不要として簡易に取り付けることができる。また、この取付部材３４と固定板３３とのねじ締結では、特に、固定板３３が、奥行フレーム３の取付溝３１の内側の開口両縁部に係止可能に略長方形の平板に形成され、かつ平板の４つのコーナーのうち、一方の対角線上で対向する各コーナーが略円弧状に形成されていることで、固定板３３は取付溝３１内で一方向にのみ回転可能で、他方向に回転されないため、ねじ３５を取付部材３４を通して固定板３３に締め込む際に、この固定板３３がねじ３５とともに回転されることがなく、この取付部材３４と固定板３３とのねじ締結を容易かつ確実に行うことができる。
また、この場合、各種の付属品は奥行フレーム３の水平面の面積内に収められる大きさに形成されるので、各種の付属品をラック本体Ａの各コーナーに取り付けていても、各種の付属品が各コーナーから側方へ飛び出すことがなく、複数のラックＲ１を横並びさせる場合に、各種の付属品が隣接するラックＲ１や付属品に当たることがなく、各ラックＲ１を隙間なく並べることができる。また、車載の場合においては、荷台に無駄なスペースを取ることがなく、ラックＲ１間の衝突、破損を限りなく防止することができる。
さらに、脚３７について言えば、脚３７がラック本体Ａの両側でハの字形をなすことで、ラックＲ１を設置面上に安定的に置くことができることは勿論のこと、図２２に示すように、複数のラックＲ１を積み重ねるときに、各脚３７がラック本体Ａの８面カットの各コーナーにジャストフィットするので、各ラックＲ１に多少の傾きがあったり振動が加えられたりした場合でも、各ラックＲ１がずれることがない。なお、この脚３７によるずれ止めは、各脚３７がラック本体Ａの各コーナー（奥行フレーム３の外側の面）の前後両端部のコーナーブロック１で、前後方向の動きを規制されるので、脚３７それ自体がそれ以上にずれることがなく、各ラックＲ１の確実なずれ止め効果が得られる。この場合、ラック本体Ａの各コーナー（奥行フレーム３の外側の面）の前後にそれぞれ取手３６が取り付けられていると、各脚３７の動きをコーナーブロック１と取手３６で規制することができ、これにより脚３７それ自体のずれをより確実に防止することができる。
またさらに、取手３６について言えば、この場合、ラック本体Ａに取手３６が取り付けられていると、この取手３６を拡げることで、これを蓋Ｂ１、Ｂ２のハンガーとして利用することができ、この取手３６を用いて蓋Ｂ１、Ｂ２を収納することができる。
（２）正面及び背面の各蓋Ｂ１、Ｂ２とラック本体Ａの正面及び背面との間に、正面及び背面の各蓋Ｂ１、Ｂ２をラック本体Ａの正面及び背面に位置決めし保持するための位置決めガイドＧ１を設けたので、この位置決めガイドＧ１により、ラック本体Ａと正面及び背面の各蓋Ｂ１、Ｂ２との位置決めを簡易に行うことができる。
（３）蓋枠構成フレーム７２は枠構成フレーム２に連接可能な大きさ及び形状に形成され、枠構成フレーム２又は蓋枠構成フレーム７２の相互に対向する一方の側縁部に突状部、他方の側縁部に当該突状部が嵌合可能な溝形状部をそれぞれ有し、枠構成フレーム２と蓋枠構成フレーム７２が一体的に連結されるので、ラック本体Ａと正面及び背面の各蓋Ｂ１、Ｂ２とを一体的に結合することができ、意匠的デザインの向上を図ることができる。
（４）補強フレーム５及び／又は枠構成フレーム２の平面に当該フレームの長さ方向に向けて複数のナット５０が埋設固定され、補強フレーム５及び／又は枠構成フレーム２上にアングルプレート５５がボルト及びナットにより固定されるようにしたので、このアングルプレート５５を後付けでラック本体Ａ内の必要な位置に、必要な数だけ、簡単に取り付けることができる。
（５）ラック本体Ａの長さを調整するための延長枠Ｌを併せて備えたので、ラック本体Ａの内部にケーブルを収納する必要があるなどその許容スペースが必要な場合に、ラック本体Ａの正面側及び／又は背面側の各枠Ｆと正面の蓋Ｂ１の枠ｆ及び／又は背面側の蓋Ｂ２の枠ｆとの間に延長枠Ｌを介在させることで、ラック本体Ａと蓋Ｂ１、Ｂ２との間にスペースを増大させてラック本体Ａの内部容量を拡大することができる。
この場合、蓋Ｂ１、Ｂ２の裏側に書類、ケーブルの収納バックなどの収納物を保持可能な伸縮性を有するベルトを着脱可能に取り付けておくことにより、収納物を蓋Ｂ１、Ｂ２の裏側に固定して収納することができる。この場合、このベルトを収納物に対してクロスさせて４点締め可能に構成することにより、ケーブルが大きな巻き取りの場合でも、ケーブルをほどけない状態に保持することができる。
また、この場合、ラック本体Ａの正面及び／又は背面と延長枠Ｌとの間、及びこの延長枠Ｌと正面及び／又は背面の蓋Ｂ１、Ｂ２との間に、ラック本体Ａの正面及び／又は背面、延長枠Ｌ、正面及び／又は背面の蓋Ｂ１、Ｂ２を位置決めし保持するための位置決めガイドＧ１、Ｇ２を設けたことにより、ラック本体Ａに延長枠Ｌ、蓋Ｂ１、Ｂ２をそれぞれ容易に取り付けることができる。
（６）蓋ロック部材８が、既述の構成により、蓋枠構成フレーム７２に挿着されて、ハンドル８３を所定の一方向に９０°回転操作することにより、係止部８５をラック本体Ａ側の所定の被係合部に対して係合し、ハンドル８３をさらに所定の一方向に３０°回転操作することにより、枠構成フレーム２と蓋枠構成フレーム７２とを相互に引き寄せる方向に圧接した状態にロックするようにしたので、ラック本体Ａと蓋Ｂ１、Ｂ２とを簡単かつ確実に、しかも強固に固定することができ、また、ハンドル８３の他方向への反対の回転操作により、係止部８５のラック本体Ａ側の被係合部に対する係合を解除できるので、ラック本体Ａからの蓋Ｂ１、Ｂ２の取り外しもまた簡単かつ確実に行うことができる。また、ハンドル８３を９０°倒し、外側、内側の各円筒部８１、８２の各溝を通して折り畳むことにより、ハンドル８３をロックすることができ、ハンドル８３に振動などを受けることがあってもハンドル８３の回転を防止して、ラック本体Ａと蓋Ｂ１、Ｂ２との間のロックをより確実に保持することができる。さらに、ハンドル８３を倒すことで、このハンドル８３を蓋Ｂ１、Ｂ２の外周縁部の高さ内に収めることができるので、ラックＲ１のハンドル８３が他のラックやラック周囲の壁面などに衝突することがない。
（７）ラック本体Ａ、蓋Ｂ１、Ｂ２、延長枠Ｌは外形全体に凹凸部が少なく、平面的に形成されるので、意匠的美観に資することができ、また、ラックＲ１表面をネットやシートなどで覆う場合に、ネットやシートをラックＲ１の表面に引っ掛かることなく、容易に被せることができる。
（８）複数のラック本体Ａ間を接続するためのラック接続部品１０を併せて備え、複数のラックＲ１を上下方向に積み重ねたり又は左右方向に並置したり又は上下左右方向に組み合わせて設置したりする場合に、このラック接続部品１０を用いて複数のラックＡ本体間を接続するようにしたので、各ラックＲ１間を簡単かつ確実に固定し、各ラックＲ１を安定的に設置することができる。
【符号の説明】
【００３０】
Ｒ１  危機収納用ラック
Ａ  ラック本体
Ｂ１  正面の蓋
Ｂ２  背面の蓋
Ｃ  コーナー
Ｆ１  正面側の枠
Ｆ２  背面側の枠
Ｓ  奥行部
Ｐ  面
Ｈ  補強部材
ｃ  コーナー
ｆ  枠
ｐ  面
Ｌ  延長枠
１  コーナーブロック
１１  外側一方の面
１２  内側他方の面
１２１  凸部
１２２  凸部
１２３  凸部
１２４  雌ねじ（ナット）
１２５  ガイド面（ガイド係合部）
Ｇ１  位置決めガイド
１２６  凸部
２  枠構成フレーム
２０１  上下の各フレーム
２０２  左右の各フレーム
２１  外側一方の面
２２  内側他方の面
２２１  凹部形状部
２２２  凹部形状部
２２３  凹部形状部
２２４  溝
２２５  突状部
２２６  凹部形状部
３  奥行フレーム
３１  外側の面（取付溝）
３１１  フランジ
３２  内側の面
３２１  溝
３３  固定板
３３０  ねじ穴
３４  取付部材
３４０  ねじ穴
３５  ねじ
３６  取手
３６１  取手リング
３７  脚
３７１  脚部材
３７２  固定部
３７３  脚形状部
４  パネル
５  補強フレーム
５０  ナット
５１  台座
５２  取付ベース
５２０  ねじ穴
５３  凸形形状部
５４  ねじ
５５  アングルプレート
６１  延長コーナーブロック
６１１  外側一方の面
６１２  内側他方の面
６１３  ガイド面
６１４  凸部
６１５  凸部
６１６  ガイド凸形形状部（ガイド凸起）
Ｇ２  位置決めガイド
６１７  突状部
６１８  ねじ挿通部
６２  延長枠構成フレーム
６０１、６０２  分割フレーム
６２１  外側一方の面
６２２  内側他方の面
６２３  突状部
６２４  凹部
６２５  凹部
７１  蓋コーナーブロック
７１１  外側一方の面
７１２  内側他方の面
７１３  突状部
７１４  凸部
７１５  凹部
７１６  ガイド凸形形状部（ガイド凸起）
７２  蓋枠構成フレーム
７２Ｌ  上下の各フレーム
７２Ｓ  左右の各フレーム
７２ａ  外側フレーム
７２ｂ  内側フレーム
７２１  外側一方の面
７２２  内側他方の面
７２３  突状部
７２４  凹部
７２５  凸部
７２６  溝
７２７  溝
７３  蓋パネル
７３１  補強用のリブ
８  蓋ロック部材
８０  ナット
８１  外側の円筒部
８１１  大径部
８１２  中径部
８１３  小径部
８１４  開口
８１５  底部開口
８１６  溝
８１７  開口
８１８  開口
８１９ａ  回転方向ガイド
８１９ｂ  進退方向ガイド
８２  内側の円筒部
８２１  大径部
８２２小径部
８２３  中空部
８２４  中空部の外周部開口
８２５  小さい穴
８２６  大きい穴
８２７  進退方向ガイド
８２８  溝
８２９  取付ピン
８３  ハンドル
８３１  グリップ
８３２  軸
８４  駆動軸
８４０  雌ねじ
８４１  ピン挿通部
８４２  ピン挿通部
８４３  進退方向ガイドピン
８４４  回転方向ガイドピン
８５  係止部
８５０  軸挿通部
８６  ガイド機構
９０  鋼球
９１  ディテントスプリング
９２  座金
９３  ねじ
９４  ピン
９５  パッキン
９６  コイルスプリング
９７  ワッシャー
１０  ラック接続部品
１０１  係止爪
１０２  スクリューシャフト
１０３  第１のフック
１０４  係止爪
１０５  長穴
１０６  第２のフック
１０７  つまみ付きのナット
【図１】
0005559135.tif 000002
【図２】
0005559135.tif 000003
【図３】
0005559135.tif 000004
【図４】
0005559135.tif 000005
【図５】
0005559135.tif 000006
【図６】
0005559135.tif 000007
【図７】
0005559135.tif 000008
【図８】
0005559135.tif 000009
【図９】
0005559135.tif 000010
【図１０】
0005559135.tif 000011
【図１１】
0005559135.tif 000012
【図１２】
0005559135.tif 000013
【図１３】
0005559135.tif 000014
【図１４】
0005559135.tif 000015
【図１５】
0005559135.tif 000016
【図１６】
0005559135.tif 000017
【図１７】
0005559135.tif 000018
【図１８】
0005559135.tif 000019
【図１９】
0005559135.tif 000020
【図２０】
0005559135.tif 000021
【図２１】
0005559135.tif 000022
【図２２】
0005559135.tif 000023
【図２３】
0005559135.tif 000024